(57)【要約】  表示基板の表示装置を提供する。当該表示基板（１０）は、複数の反復ユニット（１００）、複数の主信号線（２１）、および補助信号線（２２）を含み、各反復ユニット（１００）は、１つの第１サブピクセル（Ｒ１）、１つの第２サブピクセル（Ｂ１）、および２つの第３サブピクセル（Ｇ１、Ｇ２）を含み、前記２つの第３サブピクセル（Ｇ１、Ｇ２）は、隣接する２つの主信号線（２１）の間に位置し、各反復ユニット（１００）では、１つの第１サブピクセル（Ｒ１）と１つの第２サブピクセル（Ｂ１）は第１方向（Ｘ）に沿って配列され、２つの第３サブピクセル（Ｇ１、Ｇ２）は第２方向（Ｙ）に沿って配列され、第１方向（Ｘ）と第２方向（Ｙ）は異なる方向であり、前記隣接する２つの主信号線（２１）の間には、少なくとも１つの前記補助信号線（２２）が設けられ、前記補助信号線（２２）は、前記隣接する２つの主信号線（２１）に電気的に接続され、前記２つの第３サブピクセル（Ｇ１、Ｇ２）の間の間隔を通過する。
2021513093.tif 000002
【特許請求の範囲】
【請求項１】
複数の反復ユニット、複数の主信号線、および補助信号線を含み、
各反復ユニットは、１つの第１サブピクセル、１つの第２サブピクセル、および２つの第３サブピクセルを含み、
各前記反復ユニットでは、前記１つの第１サブピクセルと前記１つの第２サブピクセルは第１方向に沿って配列され、前記２つの第３サブピクセルは第２方向に沿って配列され、前記第１方向と前記第２方向は異なる方向であり、
前記２つの第３サブピクセルは、隣接する２つの主信号線の間に位置し、前記隣接する２つの主信号線の間には、少なくとも１つの前記補助信号線が設けられ、前記補助信号線は、前記隣接する２つの主信号線に接続され、前記２つの第３サブピクセルの間の間隔を通過する、
表示基板。
【請求項２】
前記複数の主信号線は同じ方向に沿って延在し、前記補助信号線の延在方向は前記複数の主信号線の延在方向と異なる、
請求項１に記載の表示基板。
【請求項３】
各前記主信号線の延在方向は前記第２方向であり、各前記主信号線の形状は波状であり、前記主信号線の同側において、前記波状の波の山の部分が前記第１サブピクセルに隣接すると、前記波状の波の谷の部分は前記第２サブピクセルに隣接する、
請求項１または２に記載の表示基板。
【請求項４】
前記複数の反復ユニットが第１対角線の方向に沿って反復に配列されることにより、複数の反復ユニット行を形成し、前記複数の反復ユニット行は、第２対角線の方向に沿って配列され、
前記補助信号線は、第１線分、第２線分、および第３線分を含み、前記第３線分は前記第１方向に沿って延在し、前記第１線分は、前記第１サブピクセルと、隣接する反復ユニット行において前記第１サブピクセルに直接隣接する第２サブピクセルとの間に位置し、前記第３線分は、同じ反復ユニットにおける２つの第３サブピクセルの間に位置し、前記第２線分は、前記第１線分と前記第３線分とを接続するように構成され、
奇数番号の反復ユニット行に位置する補助信号線の第３線分の前記第２方向への投影と偶数番号の反復ユニット行に位置する補助信号線の第３線分の前記第２方向への投影とは重ならなく、
または、
前記複数の反復ユニットが前記第１対角線の方向に沿って反復に配列されることにより、複数の反復ユニット列を形成し、前記複数の反復ユニット列は、前記第２対角線の方向に沿って配列され、
前記補助信号線は、第１線分、第２線分、および第３線分を含み、前記第３線分は前記第１方向に沿って延在し、前記第１線分は、前記第１サブピクセルと、隣接する反復ユニット列において前記第１サブピクセルに直接隣接する第２サブピクセルとの間に位置し、前記第３線分は、同じ反復ユニットにおける２つの第３サブピクセルの間に位置し、前記第２線分は、前記第１線分と前記第３線分とを接続するように構成され、
奇数番号の反復ユニット列に位置する補助信号線の第３線分の前記第２方向への投影と偶数番号の反復ユニット列に位置する補助信号線の第３線分の前記第２方向への投影とは重ならない、
請求項１から３のいずれか１項に記載の表示基板。
【請求項５】
前記各反復ユニットでは、前記第１方向において、前記第１サブピクセルと前記第２サブピクセルはそれぞれ前記２つの第３サブピクセルの両側に位置している、
請求項１から４のいずれか１項に記載の表示基板。
【請求項６】
前記第１方向と前記第２方向は、それぞれ同じ平面内で互いに垂直な２つの方向である、
請求項１から５のいずれか１項に記載の表示基板。
【請求項７】
前記隣接する２つの主信号線のうちの１つは、前記第１サブピクセルの前記２つの第３サブピクセルから離れた側に位置し、前記隣接する２つの主信号線のうちのもう１つは、前記第２サブピクセルの前記２つの第３サブピクセルに近い側に位置し、または、前記隣接する２つの主信号線のうちの１つは、前記第１サブピクセルの前記２つの第３サブピクセルに近い側に位置し、前記隣接する２つの主信号線のうちのもう１つは、前記第２サブピクセルの前記２つの第３サブピクセルに近い側に位置する、
請求項１から６のいずれか１項に記載の表示基板。
【請求項８】
１つ平行四辺形の第１対角線の２つの頂点は、それぞれ前記第１サブピクセル内と前記第２サブピクセル内に位置し、前記平行四辺形の第２対角線の２つの頂点は、それぞれ前記２つの第３サブピクセル内に位置する、
請求項１または２に記載の表示基板。
【請求項９】
各反復ユニットでは、前記第１サブピクセルの中心、前記第２サブピクセルの中心、および前記２つの第３サブピクセルの中心を結ぶ線は、前記平行四辺形を形成し、
前記第１サブピクセルの中心と前記第２サブピクセルの中心は、それぞれ前記平行四辺形の前記第１対角線の２つの頂点と重なり、前記２つの第３サブピクセルの中心は、それぞれ前記平行四辺形の前記第２対角線の２つの頂点と重なっている、
請求項８に記載の表示基板。
【請求項１０】
前記第１対角線は、前記第２対角線より長い、
請求項９に記載の表示基板。
【請求項１１】
前記第２対角線の長さは、前記第２対角線の方向における前記第１サブピクセルまたは前記第２サブピクセルの長さの半分より大きい、
請求項９または１０に記載の表示基板。
【請求項１２】
前記複数の反復ユニットが前記第１対角線の方向に沿って反復に配列されることにより、複数の反復ユニット行を形成し、前記複数の反復ユニット行は、前記第２対角線の方向に沿って配列され、前記第２対角線の方向における隣接する奇数番号の反復ユニット行または隣接する偶数番号の反復ユニット行の同じ列に位置する２つの反復ユニットにおける第３サブピクセルの中心を結ぶ線の最小長さは、前記第２対角線の方向における前記第１サブピクセルまたは前記第２サブピクセルの長さの１.５倍より大きく、
または、
前記複数の反復ユニットが前記第１対角線の方向に沿って反復に配列されることにより、複数の反復ユニット列を形成し、前記複数の反復ユニット列は、前記第２対角線の方向に沿って配列され、前記第２対角線の方向における隣接する奇数番号の反復ユニット列または隣接する偶数番号の反復ユニット列の同じ行に位置する２つの反復ユニットにおける第３サブピクセルの中心を結ぶ線の最小長さは、前記第２対角線の方向における前記第１サブピクセルまたは前記第２サブピクセルの長さの１.５倍より大きい、
請求項８から１１のいずれか１項に記載の表示基板。
【請求項１３】
前記各反復ユニットでは、前記第２対角線の方向における前記２つの第３サブピクセルの境界の最小距離が、前記第１対角線の方向における前記第１対角線の方向に隣接する２つの反復ユニットにおける隣接する前記第１サブピクセルの境界と前記第２サブピクセルの境界の最小距離以上である、
請求項８から１２のいずれか１項に記載の表示基板。
【請求項１４】
前記平行四辺形は菱形である、
請求項８から１３のいずれか１項に記載の表示基板。
【請求項１５】
前記第１対角線の方向は前記第１方向に平行であり、前記第２対角線の方向は前記第２方向に平行である、
請求項８から１４のいずれか１項に記載の表示基板。
【請求項１６】
前記複数の反復ユニットが前記第１対角線の方向に沿って反復に配列されることにより、反復ユニット行を形成し、複数の反復ユニット行は、前記第２対角線の方向に沿って配列され、前記第１対角線の方向における奇数番号の反復ユニット行の隣接する２つの反復ユニットの間隔の中心は、偶数番号の反復ユニット行の前記２つの第３サブピクセルの中心を結ぶ線の延長線上に位置し、
または、
前記複数の反復ユニットが前記第１対角線の方向に沿って反復に配列されることにより、反復ユニット列を形成し、複数の反復ユニット列は、前記第２対角線の方向に沿って配列され、前記第１対角線の方向における奇数番号の反復ユニット列の隣接する２つの反復ユニットの間隔の中心は、偶数番号の反復ユニット列の前記２つの第３サブピクセルの中心を結ぶ線の延長線上に位置する、
請求項８から１１のいずれか１項に記載の表示基板。
【請求項１７】
前記第２対角線の方向における前記第１サブピクセルの長さは、前記第１対角線の方向における前記第１サブピクセルの長さより大きく、前記第２対角線の方向における前記第２サブピクセルの長さは、前記第１対角線の方向における前記第２サブピクセルの長さより大きい、
請求項８から１６のいずれか１項に記載の表示基板。
【請求項１８】
前記各反復ユニットでは、前記第２対角線の方向における前記２つの第３サブピクセルの境界の最小距離の範囲は、８〜１４ミクロンである、
請求項８から１７のいずれか１項に記載の表示基板。
【請求項１９】
前記第１サブピクセル、前記第２サブピクセルおよび前記第３サブピクセルはいずれもアノードを含み、前記複数の主信号線および前記補助信号線は、前記アノードと同じ層に配置される、
請求項１から１８のいずれか１項に記載の表示基板。
【請求項２０】
前記第１サブピクセルは青のサブピクセルであり、前記第２サブピクセルは赤のサブピクセルであり、前記第３サブピクセルは緑のサブピクセルである、
請求項１から１９のいずれか１項に記載の表示基板。
【請求項２１】
複数のピクセルグループ、複数の主信号線、および補助信号線を含み、
各ピクセルグループは、２つの第１サブピクセル、２つの第２サブピクセル、および２つの第３サブピクセルを含み、各ピクセルグループでは、前記２つの第１サブピクセルの中心と前記２つの第２サブピクセルの中心とを結ぶ線は、１つの矩形を形成し、前記矩形は、第１対称軸と前記第１対称軸に互いに垂直な第２対称軸とを含み、前記２つの第３サブピクセルは、前記第２対称軸の方向に沿って配列され、且つそれぞれ前記第１対称軸の両側に位置し、
前記複数のピクセルグループは、前記第２対称軸の方向に沿ってピクセルグループ列を形成し、前記第２対称軸の方向において、隣接する２つのピクセルグループは、１つの第１サブピクセルと１つの第２サブピクセルを共有し、
各ピクセルグループでは、前記２つの第３サブピクセルは、隣接する２つの主信号線の間に位置し、前記隣接する２つの主信号線の間には、少なくとも１つの前記補助信号線が設けられ、前記補助信号線は、前記隣接する２つの主信号線に電気的に接続され、前記２つの第３サブピクセルの間の間隔を通過する、
表示基板。
【請求項２２】
前記第２対称軸の方向における隣接するピクセルグループ列の隣接する２つのピクセルグループの中心の距離は、前記第２対称軸の方向における前記矩形の長さの半分である、
請求項２１に記載の表示基板。
【請求項２３】
前記２つの第３サブピクセルは、前記第１対称軸に関して対称的に配置される、
請求項２１または２２に記載の表示基板。
【請求項２４】
前記２つの第３サブピクセルの中心は、前記第２対称軸上に位置する、
請求項２３に記載の表示基板。
【請求項２５】
前記複数の主信号線は、前記複数のピクセルグループに基準電圧または共通電圧を供給するように構成されている、
請求項２１から２４のいずれか１項に記載の表示基板。
【請求項２６】
前記第１サブピクセルと前記第２サブピクセルの形状は、いずれも六角形であり、前記２つの第３サブピクセルの形状は、いずれも五角形である、
請求項２１から２５のいずれか１項に記載の表示基板。
【請求項２７】
請求項１から１０のいずれか１項に記載の表示基板または請求項２１から２６のいずれか１項に記載の表示基板を含む表示装置。
【発明の詳細な説明】
【技術分野】
【０００１】
本発明は、２０１８年０２月０９日に提出された出願番号２０１８１０１３７０１４.６の中国特許出願の優先権を主張し、本発明の一部として、上記の中国特許出願に開示された全ての内容は本明細書に援用する。
【０００２】
本開示の実施例は、表示基板および表示装置に関するものである。
【背景技術】
【０００３】
有機発光ダイオード（Ｏｒｇａｎｉｃ  Ｌｉｇｈｔ−Ｅｍｉｔｔｉｎｇ  Ｄｉｏｄｅ、ＯＬＥＤ）表示パネルは、自発光、高コントラスト、低電力消費、広視野角、高速応答、フレキシブルパネルに適用可能、広い温度範囲、および製造が簡単であるなどの特徴があり、将来性がある。ＯＬＥＤ表示パネルは、携帯電話、コンピュータ、フルカラーテレビ、デジタルビデオカメラ、パーソナルデジタルアシスタントなどの電子製品に応用できる。ＯＬＥＤ表示パネルにおける各コンポーネントは、いずれもワイヤーによってドライブチップに電気的に接続される必要があり、ワイヤーの抵抗により、ワイヤーを介して各コンポーネントに伝送された信号が不正確であり、この結果、表示品質が低下する。
【発明の概要】
【課題を解決するための手段】
【０００４】
本開示の少なくとも一実施例は、複数の反復ユニット、複数の主信号線、および補助信号線を含み、各反復ユニットは、１つの第１サブピクセル、１つの第２サブピクセル、および２つの第３サブピクセルを含み、各前記反復ユニットでは、前記１つの第１サブピクセルと前記１つの第２サブピクセルは第１方向に沿って配列され、前記２つの第３サブピクセルは第２方向に沿って配列され、前記第１方向と前記第２方向は異なる方向であり、前記２つの第３サブピクセルは、隣接する２つの主信号線の間に位置し、前記隣接する２つの主信号線の間には、少なくとも１つの前記補助信号線が設けられ、前記補助信号線は、前記隣接する２つの主信号線に電気的に接続され、前記２つの第３サブピクセルの間の間隔を通過する表示基板に関する。
【０００５】
例えば、本開示の一実施例による表示基板において、前記複数の主信号線は同じ方向に沿って延在し、前記補助信号線は前記複数の主信号線の延在方向と異なる。
【０００６】
例えば、本開示の一実施例による表示基板において、各前記主信号線の延在方向は前記第２方向であり、各前記主信号線の形状は波状であり、前記主信号線の同側において、前記波状の波の山の部分が前記第１サブピクセルに隣接すると、前記波状の波の谷の部分は前記第２サブピクセルに隣接する。
【０００７】
例えば、本開示の一実施例による表示基板において、前記複数の反復ユニットが前記第１対角線の方向に沿って反復に配列されることにより、複数の反復ユニット行を形成し、前記複数の反復ユニット行は、前記第２対角線の方向に沿って配列され、前記補助信号線は、第１線分、第２線分、および第３線分を含み、前記第３線分は前記第１方向に沿って延在し、前記第１線分は、前記第１サブピクセルと、隣接する反復ユニット行において前記第１サブピクセルに直接隣接する第２サブピクセルとの間に位置し、前記第３線分は、同じ反復ユニットにおける２つの第３サブピクセルの間に位置し、前記第２線分は、前記第１線分と前記第３線分とを接続するように構成され、奇数番号の反復ユニット行に位置する補助信号線の第３線分の前記第２方向への投影と偶数番号の反復ユニット行に位置する補助信号線の第３線分の前記第２方向への投影とは重ならなく、
【０００８】
または、前記複数の反復ユニットが前記第１対角線の方向に沿って反復に配列されることにより、複数の反復ユニット列を形成し、前記複数の反復ユニット列は、前記第２対角線の方向に沿って配列され、前記補助信号線は、第１線分、第２線分、および第３線分を含み、前記第３線分は前記第１方向に沿って延在し、前記第１線分は、前記第１サブピクセルと、隣接する反復ユニット列において前記第１サブピクセルに直接隣接する第２サブピクセルとの間に位置し、前記第３線分は、同じ反復ユニットにおける２つの第３サブピクセルの間に位置し、前記第２線分は、前記第１線分と前記第３線分とを接続するように構成され、奇数番号の反復ユニット列に位置する補助信号線の第３線分の前記第２方向への投影と偶数番号の反復ユニット列に位置する補助信号線の第３線分の前記第２方向への投影とは重ならない。
【０００９】
例えば、本開示の一実施例による表示基板において、前記各反復ユニットでは、前記第１方向において、前記第１サブピクセルと前記第２サブピクセルはそれぞれ前記２つの第３サブピクセルの両側に位置している。
【００１０】
例えば、本開示の一実施例による表示基板において、前記第１方向と前記第２方向は、それぞれ同じ平面内で互いに垂直な２つの方向である。
【００１１】
例えば、本開示の一実施例による表示基板において、前記隣接する２つの主信号線のうちの１つは、前記第１サブピクセルの前記２つの第３サブピクセルから離れた側に位置し、前記隣接する２つの主信号線のうちのもう１つは、前記第２サブピクセルの前記２つの第３サブピクセルに近い側に位置し、または、前記隣接する２つの主信号線のうちの１つは、前記第１サブピクセルの前記２つの第３サブピクセルに近い側に位置し、前記隣接する２つの主信号線のうちのもう１つは、前記第２サブピクセルの前記２つの第３サブピクセルに近い側に位置する。
【００１２】
例えば、本開示の一実施例による表示基板において、１つ平行四辺形の第１対角線の２つの頂点は、それぞれ前記第１サブピクセル内と前記第２サブピクセル内に位置し、前記平行四辺形の第２対角線の２つの頂点は、それぞれ前記２つの第３サブピクセル内に位置する。
【００１３】
例えば、本開示の一実施例による表示基板において、各反復ユニットでは、前記第１サブピクセルの中心、前記第２サブピクセルの中心、および前記２つの第３サブピクセルの中心を結ぶ線は、１つの前記平行四辺形を形成し、前記第１サブピクセルの中心と前記第２サブピクセルの中心は、それぞれ前記平行四辺形の前記第１対角線の２つの頂点と重なり、前記２つの第３サブピクセルの中心は、それぞれ前記平行四辺形の前記第２対角線の２つの頂点と重なっている。
【００１４】
例えば、本開示の一実施例による表示基板において、前記第１対角線は、前記第２対角線より長い。
【００１５】
例えば、本開示の一実施例による表示基板において、前記第２対角線の長さは、前記第２対角線の方向における前記第１サブピクセルまたは前記第２サブピクセルの長さの半分より大きい。
【００１６】
例えば、本開示の一実施例による表示基板において、前記複数の反復ユニットが前記第１対角線の方向に沿って反復に配列されることにより、複数の反復ユニット行を形成し、前記複数の反復ユニット行は、前記第２対角線の方向に沿って配列され、前記第２対角線の方向における隣接する奇数番号の反復ユニット行または偶数番号の反復ユニット行の同じ列に位置する２つの反復ユニットにおける第３サブピクセルの中心を結ぶ線の最小長さは、前記第２対角線の方向における前記第１サブピクセルまたは前記第２サブピクセルの長さの１.５倍より大きく、
【００１７】
または、前記複数の反復ユニットが前記第１対角線の方向に沿って反復に配列されることにより、複数の反復ユニット列を形成し、前記複数の反復ユニット列は、前記第２対角線の方向に沿って配列され、前記第２対角線の方向における隣接する奇数番号の反復ユニット列または隣接する偶数番号の反復ユニット列の同じ行に位置する２つの反復ユニットにおける第３サブピクセルの中心を結ぶ線の最小長さは、前記第２対角線の方向における前記第１サブピクセルまたは前記第２サブピクセルの長さの１.５倍より大きい。
【００１８】
例えば、本開示の一実施例による表示基板において、各反復ユニットでは、前記第２対角線の方向における前記２つの第３サブピクセルの境界の最小距離が、前記第１対角線の方向における前記第１対角線の方向に隣接する２つの反復ユニットにおける隣接する前記第１サブピクセルの境界と前記第２サブピクセルの境界の最小距離以上である。
【００１９】
例えば、本開示の一実施例による表示基板において、前記平行四辺形は菱形である。
【００２０】
例えば、本開示の一実施例による表示基板において、前記第１対角線の方向は前記第１方向に平行であり、前記第２対角線の方向は前記第２方向に平行である。
【００２１】
例えば、本開示の一実施例による表示基板において、前記複数の反復ユニットが前記第１対角線の方向に沿って反復に配列されることにより、反復ユニット行を形成し、複数の反復ユニット行は、前記第２対角線の方向に沿って配列され、前記第１対角線の方向における奇数番号の反復ユニット行の隣接する２つの反復ユニットの間隔の中心は、偶数番号の反復ユニット行の前記２つの第３サブピクセルの中心を結ぶ線の延長線上に位置し、
【００２２】
または、前記複数の反復ユニットが前記第１対角線の方向に沿って反復に配列されることにより、反復ユニット列を形成し、複数の反復ユニット列は、前記第２対角線の方向に沿って配列され、前記第１対角線の方向における奇数番号の反復ユニット列の隣接する２つの反復ユニットの間隔の中心は、偶数番号の反復ユニット列の前記２つの第３サブピクセルの中心を結ぶ線の延長線上に位置する。
【００２３】
例えば、本開示の一実施例による表示基板において、前記第２対角線の方向における前記第１サブピクセルの長さは、前記第１対角線の方向における前記第１サブピクセルの長さより大きく、前記第２対角線の方向における前記第２サブピクセルの長さは、前記第１対角線の方向における前記第２サブピクセルの長さより大きい。
【００２４】
例えば、本開示の一実施例による表示基板において、各前記反復ユニットでは、前記第２対角線の方向における前記２つの第３サブピクセルの境界の最小距離の範囲は、８〜１４ミクロンである
【００２５】
例えば、本開示の一実施例による表示基板において、前記第１サブピクセル、前記第２サブピクセルおよび前記第３サブピクセルはいずれもアノードを含み、前記複数の主信号線および前記補助信号線は、前記アノードと同じ層に配置される。
【００２６】
例えば、本開示の一実施例による表示基板において、前記第１サブピクセルは青のサブピクセルであり、前記第２サブピクセルは赤のサブピクセルであり、前記第３サブピクセルは緑のサブピクセルである。
【００２７】
本開示の少なくとも一実施例は、さらに、複数のピクセルグループ、複数の主信号線、および補助信号線を含み、各ピクセルグループは、２つの第１サブピクセル、２つの第２サブピクセル、および２つの第３サブピクセルを含み、各ピクセルグループでは、前記２つの第１サブピクセルの中心と前記２つの第２サブピクセルの中心とを結ぶ線は、１つの矩形を形成し、前記矩形は、第１対称軸と前記第１対称軸に互いに垂直な第２対称軸とを含み、前記２つの第３サブピクセルは、前記第２対称軸の方向に沿って配列され、且つそれぞれ前記第１対称軸の両側に位置し、複数のピクセルグループは、前記第２対称軸の方向に沿ってピクセルグループ列を形成し、、前記第２対称軸の方向において、隣接する２つのピクセルグループは、１つの第１サブピクセルと１つの第２サブピクセルを共有し、各ピクセルグループでは、前記２つの第３サブピクセルは、隣接する２つの主信号線の間に位置し、前記隣接する２つの主信号線の間には、少なくとも１つの前記補助信号線が設けられ、前記補助信号線は、前記隣接する２つの主信号線に電気的に接続され、前記２つの第３サブピクセルの間の間隔を通過する表示基板に関する。
【００２８】
例えば、本開示の一実施例による表示基板において、前記第２対称軸の方向における隣接するピクセルグループ列の隣接する２つのピクセルグループの中心の距離は、前記第２対称軸の方向における前記矩形の長さの半分である。
【００２９】
例えば、本開示の一実施例による表示基板において、前記２つの第３サブピクセルは、前記第１対称軸に関して対称的に配置される。
【００３０】
例えば、本開示の一実施例による表示基板において、前記２つの第３サブピクセルの中心は、前記第２対称軸上に位置する。
【００３１】
例えば、本開示の一実施例による表示基板において、前記複数の主信号線は、前記複数のピクセルグループに基準電圧または共通電圧を供給するように構成されている。
【００３２】
例えば、本開示の一実施例による表示基板において、前記第１サブピクセルと前記第２サブピクセルの形状は、いずれも六角形であり、前記２つの第３サブピクセルの形状は、いずれも五角形である。
【００３３】
本開示の少なくとも一実施例は、さらに、上記のいずれかに記載された表示基板を含む表示装置に関する。
【００３４】
本開示の実施例における技術案をより明確に説明するために、以下、実施例の図面を簡単に説明し、以下の説明における図面は、本開示を限定するものではなく、本開示のいくつかの実施例に関連することは明らかである。
【図面の簡単な説明】
【００３５】
【図１】本開示の一実施例による表示基板の部分概略図である。
【図２Ａ】本開示の一実施例による表示基板のアレイ概略図である。
【図２Ｂ】本開示の一実施例による表示基板の部分アレイ概略図である。
【図２Ｃ】本開示の一実施例による別の表示基板の部分アレイ概略図である。
【図３】図１に示す表示基板における反復ユニットの概略構成図である。
【図４】本開示の一実施例による表示基板の別の部分概略図である。
【図５】図４のＰ−Ｐ’線方向に沿った表示基板の断面図である。
【図６Ａ】ピクセル回路の概略構成図である。
【図６Ｂ】本開示の実施例による表示基板の部分断面概略構成図である。
【図７Ａ】図１に示す表示基板の反復ユニットにおける仮想ピクセルのグループ分け図である。
【図７Ｂ】図１に示す表示基板の反復ユニットにおける仮想ピクセルの別のグループ分け図である。
【図８】本開示の別の実施例による表示基板の概略図である。
【図９】図８に示す表示基板におけるピクセルグループの概略図である。
【図１０】図８に示す表示基板における１列のピクセルグループの概略図である。
【図１１】図８に示す表示基板における２列のピクセルグループの概略図である。
【図１２】本開示のまた別の実施例による表示基板の概略図である。
【図１３】図１２に示す表示基板におけるピクセルグループの概略図である。
【図１４】図１２に示す表示基板における１列のピクセルグループの概略図である。
【図１５】図１２に示す表示基板における２列のピクセルグループの概略図である。
【図１６】本開示の一実施例による表示装置の概略ブロック図である。
【発明を実施するための形態】
【００３６】
本開示の実施例の目的、技術案および利点をより明確にするために、以下、本開示の実施例における技術案について、本開示の実施例における図面を参照して明確かつ完全に説明する。説明された実施例は、全ての実施例ではなく、本開示の実施例の一部であることは明らかである。説明された本開示の実施例に基づいて、当業者が創造的な労働をしないことを前提として取得された他のすべての実施例は、本開示の保護の範囲に属する。
【００３７】
本開示で使用される技術用語または科学用語は、特に定義されない限り、本開示の属する技術分野において一般的な技能を有する者に理解される通常の意味であるべきである。本開示で使用される「第１」、「第２」および類似の用語は、任意の順序、数量または重要性を表すものではなく、単に異なる構成要素を区別するために用いられる。「含む」または「含有する」などの類似の用語とは、この用語の前に現れる要素または対象物が、他の要素または対象物を排除することなく、この用語の後に列挙された要素または対象物及びその均等物をカバーすることを意味する。「結ぶ」や「接続」などの類似の用語とは、物理的あるいは機械的な接続に限定されるものではなく、直接的でも間接的でも電気的な接続を含むことができる。「上」、「下」、「左」、「右」などは相対位置関係のみを表し、説明された対象物の絶対位置が変化すると、当該相対位置関係もそれに応じて変更され得る。
【００３８】
本開示の少なくとも一実施例は、信号線を隣接する２つの第３サブピクセルの間に通過させることにより、信号線のグリッド配線を実現し、基準電圧信号の安定性を向上させ、表示パネルの表示効果を改善する表示基板および表示装置を提供する。
【００３９】
以下、図面を参照して本開示の実施例を詳しく説明するが、本開示はこれらの具体的な実施例に限定されない。
【００４０】
図１は、本開示の一実施例による表示基板の部分概略図であり、図２Ａは、本開示の一実施例による表示基板のアレイ概略図であり、図２Ｂは、本開示の一実施例による表示基板の部分アレイ概略図であり、図２Ｃは、本開示の一実施例による別の表示基板の部分アレイ概略図であり、図３は、図１に示す表示基板における反復ユニットの概略構成図である。
【００４１】
例えば、図１に示すように、本開示の実施例による表示基板１０は、複数の反復ユニット１００、複数の主信号線２１、および補助信号線２２を含む。各反復ユニット１００は、間隔をあけて配置された第１サブピクセルＲ１、１つの第２サブピクセルＢ１、および２つの第３サブピクセルＧ１、Ｇ２を含む。各反復ユニット１００では、１つの第１サブピクセルＲ１と１つの第２サブピクセルＢ１は第１方向Ｘに沿って配列され、２つの第３サブピクセルＧ１、Ｇ２は第２方向Ｙに沿って配列され、第１方向Ｘと第２方向Ｙは異なる方向である。２つの第３サブピクセルＧ１、Ｇ２は、隣接する２つの主信号線２１の間に位置し、隣接する２つの主信号線２１の間には、少なくとも１つの補助信号線２２が設けられ、補助信号線２２は、隣接する２つの主信号線２１に接続され、２つの第３サブピクセルＧ１、Ｇ２の間の間隔を通過する。
【００４２】
例えば、各反復ユニット１００における４つのサブピクセルは、２つのピクセルを形成し、反復ユニット１００における第１サブピクセルと第２サブピクセルは、それぞれ前記２つのピクセルに共有される。複数の反復ユニット１００におけるピクセルは、ピクセルアレイを形成し、ピクセルアレイの第１方向において、サブピクセル密度は仮想ピクセル密度の１.５倍であり、ピクセルアレイの第２方向において、サブピクセル密度は仮想ピクセル密度の１.５倍である。
【００４３】
なお、第１に、第１サブピクセルと第２サブピクセルは、隣接する２つのピクセルに共有されるので、各ピクセルの境界も非常に曖昧であるため、本開示の実施例は、各ピクセルの形状を限定しない。本開示の実施例におけるピクセルは、厳密な意味でのピクセルではなく、完全な１つの赤のサブピクセル、１つの緑のサブピクセル、１つの青のサブピクセルによって１つのピクセルを定義するので、本開示におけるピクセルを仮想ピクセルと呼ぶことができる。
【００４４】
第２に、当業者であれば、本開示のピクセル配列構造に基づいて、ピクセル及び各ピクセルにおける第１サブピクセル、第２サブピクセル及び第３サブピクセルが可能な限り均一に分布すべきであることを知っているはずである。
【００４５】
第３に、本開示の実施例の図面で特定された第１方向および第２方向は、いずれも巨視的な視点から特定され、即ち、サブピクセル密度がピクセル密度の１.５倍になるようにするとともに、ピクセル及びピクセルにおける各サブピクセルが全体的に均一に分布することを可能な限りに保証するため、微視的な視点において、第１方向は、完全に直線ではなく、波線であってもよく、第２方向も同様である。
【００４６】
例えば、第１サブピクセルＲ１、２つの第３サブピクセルＧ１、Ｇ２、および第２サブピクセルＢ１は、第１方向Ｘに沿って順次に配列されている。つまり、第１方向Ｘにおいて、２つの第３サブピクセルＧ１、Ｇ２は、第１サブピクセルＲ１と第２サブピクセルＢ１との間に位置する。
【００４７】
例えば、第１方向Ｘと第２方向Ｙは、それぞれ同じ平面内で互いに垂直な２つの方向であり、即ち第１方向Ｘと第２方向Ｙは、互いに垂直になることができる。
【００４８】
例えば、各反復ユニット１００では、２つの第３サブピクセルＧ１、Ｇ２の間の間隔には、１つの補助信号線２２が設けられ、補助信号線２２は、当該２つの第３サブピクセルＧ１、Ｇ２の間の間隔からのものである。
【００４９】
例えば、１つの反復ユニット１００における４つのサブピクセルに対して、１つ平行四辺形の第１対角線の２つの頂点は、それぞれ第１サブピクセルＲ１内と第２サブピクセルＢ１に位置し、平行四辺形の第２対角線の２つの頂点は、それぞれ２つの第３サブピクセルＧ１、Ｇ２内に位置する。いくつかの例では、図３に示すように、各反復ユニット１００では、第１サブピクセルＲ１の中心、第２サブピクセルＢ１の中心、および２つの第３サブピクセルＧ１、Ｇ２の中心を結ぶ線は、１つの平行四辺形３０を形成する。第１サブピクセルＲ１の中心と第２サブピクセルＢ１の中心は、それぞれ平行四辺形３０の第１対角線３０１の２つの頂点と重なり、２つの第３サブピクセルＧ１、Ｇ２の中心は、それぞれ平行四辺形３０の第２対角線３０２の２つの頂点と重なっている。
【００５０】
また、本開示の実施例では、特に説明されていない場合、サブピクセルの「中心」（例えば、理論上の中心）とは、サブピクセル（例えば、第１サブピクセル、第２サブピクセル、または第３サブピクセル）の理想的な形状の幾何中心を指すことができる。ピクセル配列構造を設計する場合、サブピクセルは、一般的に六角形、五角形、台形、または他の形状のような規則的な形状に設計されている。設計の場合、サブピクセルの中心は、上記の規則的な形状の幾何中心であってもよい。しかしながら、実際の製造プロセスでは、形成されたサブピクセルの形状は、一般的に上記の設計された規則的な形状から一定のずれを持つ。例えば、上記の規則的な形状の各角が丸くなることがあり、したがって、サブピクセルの形状が丸みを帯びた形状になることがある。実際に製造されたサブピクセルの形状は、設計された形状とは別の形状になる可能性もある。例えば、六角形に設計されたサブピクセルの形状は、実際の製造では楕円形に近い形状になる可能性がある。したがって、サブピクセルの中心は、形成されたサブピクセルの不規則的な形状の厳密な幾何中心ではない場合がある。本開示の実施例では、サブピクセルの中心は、サブピクセルの形状の幾何中心から一定のオフセットを持つことができる。サブピクセルの中心とは、サブピクセルの幾何中心からサブピクセルのエッジの各点までの放射線分上の特定の点で囲まれた領域内の任意の点を指し、当該放射線分上の特定の点は、当該幾何中心からの当該放射線分の長さの１/３のところにある。当該サブピクセルの中心の定義は、規則的な形状のサブピクセルの形状の中心に適用され、不規則的な形状のサブピクセルの中心にも適用される。
【００５１】
上述のように、様々な製造誤差のため、実際に製造されたサブピクセルの形状が、設計されたサブピクセルの形状からずれを持つ可能性がある。したがって、本開示では、サブピクセルの中心に関する位置と、サブピクセルの中心と他のオブジェクトの位置との関係についても、一定の誤差を持つ場合がある。例えば、サブピクセルの中心を結ぶ線やサブピクセルの中心を通る線が対応する他の限定（例えば、延在方向）を満たす場合、これらの線は、上述の放射線分の特定の点で囲まれた領域を通過すればよい。また例えば、サブピクセルの中心がある線上にあるということは、この線が上述の放射線分の特定の点で囲まれた領域を通過すればよいことを意味する。また、本開示で説明された重なりとは、対応するサブピクセルまたは他のコンポーネントの面積の少なくとも７０％が重なればよいことを意味し、本開示で説明された鏡像対称とは、鏡像化された後に、対応するサブピクセルの面積の少なくとも７０％が重なればよいことを意味する。
【００５２】
例えば、図３に示すように、第１対角線３０１は、第２対角線３０２より長い。
【００５３】
例えば、図３に示すように、第１対角線３０１と第２対角線３０２は、互いに垂直になり、第１対角線３０１の方向は第１方向Ｘに平行であり、第２対角線３０２の方向は第２方向Ｙに平行である。
【００５４】
例えば、図２Ａおよび図３に示すように、第１方向Ｘは行方向であり、第２方向Ｙは列方向である。複数の反復ユニット１００が第１対角線３０１の方向（即ち第１方向Ｘ）に沿って反復に配列されることにより、複数の反復ユニット行を形成し、複数の反復ユニット行は、第２対角線３０２の方向（即ち第２方向Ｙ）に沿って配列されている。つまり、複数の反復ユニット１００は、第１対角線３０１の方向（即ち第１方向Ｘ）と第２対角線３０２の方向（即ち第２方向Ｙ）に沿ってアレイ状に配列されている。
【００５５】
例えば、図２Ｂに示すように、第２対角線３０２の方向（即ち第２方向Ｙ）における隣接する奇数番号の反復ユニット行または偶数番号の反復ユニット行の同じ列に位置する２つの反復ユニットにおける第３サブピクセルの中心を結ぶ線の最小長さｈ３は、第２対角線３０２の方向における第１サブピクセルＲ１または第２サブピクセルＢ１の長さの１.５倍より大きい。例えば、図２Ｂに示すように、いくつかの例では、２つの第３サブピクセルＧ１、Ｇ２は、第２方向Ｙに沿って順次に配列され、反復ユニット１００と反復ユニット１００'''が同じ列に位置し、且つ反復ユニット１００が第２行に位置し、反復ユニット１００'''が第４行に位置することにより、反復ユニット１００と反復ユニット１００'''が、隣接する偶数番号の反復ユニット行に位置し、且つ同じ列に位置する２つの反復ユニットであり、最小長さｈ３は、反復ユニット１００における第３サブピクセルＧ２の中心と反復ユニット１００'''における第３サブピクセルＧ１の中心を結ぶ線の長さを示す。
【００５６】
例えば、図２Ｂに示した例では、各反復ユニット１００の第１サブピクセルＲ１、２つの第３サブピクセルＧ１、Ｇ２および第２サブピクセルＢ１は、第１方向Ｘに沿って順次に配列されている。しかしながら、これに限らなく、図２Ｃに示すように、各反復ユニット１００の第１サブピクセルＲ１、２つの第３サブピクセルＧ１、Ｇ２および第２サブピクセルＢ１は、第１方向Ｘに沿って順次に配列され、ここで、第１方向Ｘは列方向であり、第２方向Ｙは行方向である。つまり、図２Ｂに示した反復ユニット１００を全体として９０度回転させることにより、図２Ｃに示した反復ユニットが得られる。複数の反復ユニット１００が第１対角線の方向（即ち第１方向Ｘ）に沿って反復に配列されることにより、複数の反復ユニット列を形成し、複数の反復ユニット列は、第２対角線の方向（即ち第２方向Ｙ）に沿って配列されている。図２Ｃに示した例では、第２対角線の方向（即ち第２方向Ｙ）における隣接する奇数番号の反復ユニット列または偶数番号の反復ユニット列の同じ行に位置する２つの反復ユニットにおける第３サブピクセルの中心を結ぶ線の最小長さｈ３'は、第２対角線の方向（即ち第２方向Ｙ）における第１サブピクセルＲ１または第２サブピクセルＢ１の長さの１.５倍より大きい。
【００５７】
例えば、図２Ｃに示すように、いくつかの例では、２つの第３サブピクセルＧ１、Ｇ２は、第２方向Ｙに沿って順次に配列され、反復ユニット１０１と反復ユニット１０１'が同じ行に位置し、且つ反復ユニット１０１が第１列に位置し、反復ユニット１０１'が第３列に位置することにより、反復ユニット１０１と反復ユニット１０１'が、隣接する奇数番号の列に位置し、且つ同じ行に位置する２つの反復ユニットであり、最小長さｈ３は、反復ユニット１０１における第３サブピクセルＧ１の中心と反復ユニット１０１'における第３サブピクセルＧ２の中心を結ぶ線の長さを示す。
【００５８】
なお、明確にするために、図２Ｂおよび図２Ｃに示した表示基板には、主信号線および補助信号線が示されていない。
【００５９】
例えば、図３に示すように、第２対角線３０２の長さは、第２対角線３０２の方向における第１サブピクセルＲ１または第２サブピクセルＢ１の長さの半分より大きい。
【００６０】
例えば、図１および図３に示すように、各反復ユニット１００では、第２対角線３０２の方向（即ち第２方向Ｙ）における２つの第３サブピクセルＧ１、Ｇ２の境界の最小距離ｈ１が、第１対角線３０１の方向における第１対角線３０１の方向（即ち第１方向Ｘ）に隣接する２つの反復ユニットにおける隣接する第１サブピクセルＲ１の境界と第２サブピクセルＢ１の境界の最小距離ｈ２以上である
【００６１】
なお、本開示において、第１対角線の方向または第２対角線の方向における各サブピクセルの長さは、第１対角線の方向または第２対角線の方向における各サブピクセルの最大距離を表している。第１サブピクセルＲ１を例にとると、第１サブピクセルＲ１の形状が矩形である場合、第１対角線の方向における第１サブピクセルＲ１の最大距離は、第１方向Ｘにおける矩形の辺長であり、第２対角線の方向における第１サブピクセルＲ１の最大距離は、第２方向Ｙにおける矩形の辺長である。第１サブピクセルＲ１の形状が長楕円形であり、長楕円形の２つの焦点を結ぶ線が第２方向Ｙに略平行である場合、第２対角線の方向における第１サブピクセルＲ１の最大距離は、２つの焦点を結ぶ線と長楕円の円周との２つの交点の間の距離であり、第１対角線の方向における第１サブピクセルＲ１の最大距離は、２つの焦点を結ぶ線の垂直二等分線と長楕円の円周との２つの交点の間の距離である。
【００６２】
例えば、平行四辺形３０は菱形であってもよく、これによって、第１サブピクセルＲ１と第２サブピクセルＢ１が第２対角線３０２に関して対称的に配置され、２つの第３サブピクセルＧ１の中心が第１対角線３０１に関して対称的に配置される。
【００６３】
なお、上述した平行四辺形は、第１サブピクセル、第２サブピクセル、および第３サブピクセルの位置をより良く説明するためのものであり、実際の構造ではない。
【００６４】
例えば、図１、図２Ｂおよび図３に示すように、複数の反復ユニット１００が第１対角線３０１の方向（即ち第１方向Ｘ）に沿って反復に配列されることにより、反復ユニット行を形成し、複数の反復ユニット行は、第２対角線３０２の方向（即ち第２方向Ｙ）に沿って配列され、第１対角線３０１の方向における奇数番号の行の隣接する２つの反復ユニット１００の間隔の中心は、偶数番号の行の反復ユニット１００における２つの第３サブピクセルＧ１、Ｇ２の中心を結ぶ線（即ち第２対角線３０２）の延長線上に位置する。偶数番号の行の隣接する２つの反復ユニット１００の間隔の中心は、奇数番号の行の反復ユニット１００における２つの第３サブピクセルＧ１、Ｇ２の中心を結ぶ線（即ち第２対角線３０２）の延長線上に位置する。
【００６５】
例えば、図１、図２Ｃおよび図３に示すように、複数の反復ユニット１００が第１対角線３０１の方向（即ち第１方向Ｘ）に沿って反復に配列されることにより、反復ユニット列を形成し、複数の反復ユニット列は、第２対角線３０２の方向（即ち第２方向Ｙ）に沿って配列され、第１対角線３０１の方向における奇数番号の列の隣接する２つの反復ユニットの間隔の中心は、偶数番号の列の２つの第３サブピクセルＧ１、Ｇ２の中心を結ぶ線の延長線上に位置する。
【００６６】
例えば、複数の主信号線２１は同じ方向に沿って延在し、補助信号線２２は複数の主信号線２１の延在方向と異なる。図２Ａに示すように、表示基板全体には、複数の主信号線２１および複数の補助信号線２２が格子状に配置され、複数の主信号線２１および複数の補助信号線２２がいずれも電気的に接続されている。例えば、図１および図２Ａに示すように、補助信号線２２は、第１方向Ｘに沿って延在し、複数の主信号線２１は第２方向Ｙに沿って延在する。本開示において、「延在」とは、複数の主信号線２１および補助信号線２２の大体的な配線方向を示しており、しかしながら、図２Ａに示すように、複数の主信号線２１は、微視的には直線ではなく、波状をなして第２方向Ｙに沿って延在し、補助信号線２２も、微視的には直線ではなく、屈曲状をなして第１方向Ｘに沿って延在する。
【００６７】
例えば、図２Ａに示すように、各主信号線２１の延在方向は第２方向Ｙであり、各主信号線２１の形状は波状であり、主信号線２１の同側（例えば図２Ａにおける右側）において、波状の波の山の部分が第１サブピクセルＲ１に隣接すると、波状の波の谷の部分は第２サブピクセルＢ１に隣接し、例えば、主信号線２１の他方側（例えば図２Ａにおける左側）において、波状の波の山の部分が第２サブピクセルＢ１に隣接すると、波状の波の谷の部分は２つの第３サブピクセルＧ１、Ｇ２に隣接し、つまり、波状の波の山の部分は、同じ反復ユニット行における隣接する第１サブピクセルＲ１と第２サブピクセルＢ１との間に位置し、波状の波の谷の部分は、同じ反復ユニット行における隣接する２つの第３サブピクセルと第２サブピクセルとの間に位置する。なお、図２Ａに示すように、本開示のいくつかの実施例では、波状の主信号線２１における右側に突出した部分は、波の谷を表し、波状の主信号線２１における左側に突出した部分は、波の山を表している。本開示は、これに限定されず、波状の主信号線２１における右側に突出した部分は、波の山を表してもよく、このとき、波状の主信号線２１における左側に突出した部分は、波の谷を表し、これによって、主信号線２１の同側（例えば図２Ａにおける右側）において、波状の波の山の部分が第２サブピクセルＢ１に隣接し、波状の波の谷の部分が第１サブピクセルＲ１に隣接する。なお、同じ反復ユニットでは、第１サブピクセルＢ１は、２つの第３サブピクセルＧ１、Ｇ２の左側に位置し、第２サブピクセルＢ１は、２つの第３サブピクセルＧ１、Ｇ２の右側に位置する。
【００６８】
例えば、１つの主信号線２１の偶数番号の行の反復ユニットに対応する部分が波の山であり、主信号線２１の奇数番号の行の反復ユニットに対応する部分が波の谷である。または、１つの主信号線２１の奇数番号の行の反復ユニットに対応する部分が波の山であり、主信号線２１の偶数番号の行の反復ユニットに対応する部分が波の谷である。
【００６９】
例えば、複数の主信号線２１が第１の方向Ｘにおいて順次に配置されている場合、隣接する２つの主信号線２１の波の山と波の谷は、互いに対応する。例えば、図２Ａに示すように、複数の主信号線２１は、第１主信号線２１０、第２主信号線２１１、第３主信号線２１２、および第４主信号線２１３を含み、第１主信号線２１０の第１行の反復ユニットに位置する部分は波の谷であり、第２主信号線２１１の第１行の反復ユニットに位置する部分は波の山であり、第３主信号線２１２の第１行の反復ユニットに位置する部分は波の谷であり、第４主信号線２１３の第１行の反復ユニットに位置する部分は波の山であり、相応的に、第１主信号線２１０の第２行の反復ユニットに位置する部分は波の山であり、第２主信号線２１１の第２行の反復ユニットに位置する部分は波の谷であり、第３主信号線２１２の第２行の反復ユニットに位置する部分は波の山であり、第４主信号線２１３の第２行の反復ユニットに位置する部分は波の谷である。
【００７０】
例えば、各反復ユニット１００では、２つの第３サブピクセルＧ１、Ｇ２は主信号線２１の延在方向に沿って配列され、即ち、主信号線２１の延在方向は第２方向Ｙであり、主信号線２１の延在方向に垂直な方向（即ち第１方向Ｘ）において、第１サブピクセルＲ１と第２サブピクセルＢ１はそれぞれ２つの第３サブピクセルＧ１、Ｇ２の両側に位置している。図１に示すように、第１方向Ｘにおいて、反復ユニット１００では、第１サブピクセルＲ１は２つの第３サブピクセルＧ１、Ｇ２の左側に位置し、第２サブピクセルＢ１は２つの第３サブピクセルＧ１、Ｇ２の右側に位置する。
【００７１】
例えば、第１サブピクセルＲ１、第２サブピクセルＢ１および２つの第３サブピクセルＧ１、Ｇ２の配列方向と複数の主信号線２１の延在方向は、互いに垂直になる。図１に示すように、第１サブピクセルＲ１、第２サブピクセルＢ１および２つの第３サブピクセルＧ１、Ｇ２の配列方向は第１方向Ｘであり、複数の主信号線２１の延在方向は第２方向Ｙであり、第１方向Ｘと第２方向Ｙは、互いに垂直になる。
【００７２】
例えば、第２行に位置する反復ユニット１００では、隣接する２つの主信号線２１のうちの１つは、第１サブピクセルＲ１の２つの第３サブピクセルＧ１、Ｇ２から離れた側に位置し、隣接する２つの主信号線２１のうちのもう１つは、第２サブピクセルＢ１の２つの第３サブピクセルＧ１、Ｇ２に近い側に位置する。図１および図２Ａに示すように、第１主信号線２１０と第２主信号線２１１は、隣接する２つの主信号線２１であり、１つの例では、第２行に位置する反復ユニット１００では、第１主信号線２１０は、第１サブピクセルＲ１の２つの第３サブピクセルＧ１、Ｇ２から離れた側に位置し、第２主信号線２１１は、第２サブピクセルＢ１の２つの第３サブピクセルＧ１、Ｇ２に近い側に位置する。つまり、第１方向Ｘにおいて、第１主信号線２１０は、隣接する２つの反復ユニット１００の間に位置し、第２主信号線２１１は、反復ユニット１００における第２サブピクセルＢ１と２つの第３サブピクセルＧ１、Ｇ２との間に位置する。
【００７３】
別の例では、第２行に位置する反復ユニット１００では、第１主信号線２１０は、第１サブピクセルＲ１の２つの第３サブピクセルＧ１、Ｇ２に近い側に位置し、第２主信号線２１１は、第２サブピクセルＢ１の２つの第３サブピクセルＧ１、Ｇ２から離れた側に位置する。つまり、第１方向Ｘにおいて、第１主信号線２１０は、反復ユニット１００における第１サブピクセルＲ１と２つの第３サブピクセルＧ１、Ｇ２との間に位置し、第２主信号線２１１は、隣接する２つの反復ユニット１００の間に位置する。
【００７４】
例えば、また別の例では、第２行に位置する反復ユニット１００では、隣接する２つの主信号線２１のうちの１つは、第１サブピクセルＲ１の２つの第３サブピクセルＧ１、Ｇ２に近い側に位置し、隣接する２つの主信号線２１のうちのもう１つは、第２サブピクセルＢ１の２つの第３サブピクセルＧ１、Ｇ２に近い側に位置する。つまり、第１方向Ｘにおいて、第１主信号線２１０は、反復ユニット１００における第１サブピクセルＲ１と２つの第３サブピクセルＧ１、Ｇ２との間に位置し、第２主信号線２１１は、反復ユニット１００における第２サブピクセルＢ１と２つの第３サブピクセルＧ１、Ｇ２との間に位置する。
【００７５】
なお、第１行において、第１主信号線２１０と第２主信号線２１１との位置関係は、上記の例とは逆である。つまり、図２Ａに示すように、第１行には、隣接する反復ユニット１００'と反復ユニット１００''が含まれ、第１行には、第１主信号線２１０は、反復ユニット１００'における第２サブピクセルＢ１の２つの第３サブピクセルＧ１、Ｇ２に近い側に位置し、第２主信号線２１１は、反復ユニット１００''における第１サブピクセルＲ１の２つの第３サブピクセルＧ１、Ｇ２から離れた側に位置する。つまり、第１方向Ｘにおいて、第１主信号線２１０は、反復ユニット１００'における第２サブピクセルＢ１と２つの第３サブピクセルＧ１、Ｇ２との間に位置し、第２主信号線２１１は、隣接する反復ユニット１００'と反復ユニット１００''との間に位置する。
【００７６】
図４は、本開示の一実施例による表示基板の別の部分概略図であり、図５は、図４のＰ−Ｐ’線方向に沿った表示基板の断面図である。
【００７７】
例えば、図１および図４に示すように、第２方向Ｙにおいて、主信号線２１は、第１部分２１０１と第２部分２１０２とを含む。第１部分２１０１は、反復ユニット１００における第２サブピクセルＢ１と２つの第３サブピクセルＧ１、Ｇ２との間に位置し、第２部分２１０２は、隣接する反復ユニット１００の間に位置する。つまり、第１主信号線２１０の第１行に位置する部分は、第１部分２１０１であり、第１主信号線２１０の第２行に位置する部分は、第２部分２１０２である。第１部分２１０１は、直線であってもよく、且つ第１部分２１０１の第２方向Ｙに沿った延在線は、第１サブピクセルＲ１の中心を通り、第２部分２１０２は、第１サブピクセルＲ１の２つの第３サブピクセルＧ１、Ｇ２から離れた側辺の輪郭に沿って配線されてもよく、且つ第１サブピクセルＲ１の２つの第３サブピクセルＧ１、Ｇ２から離れた側辺の形状に類似している。例えば、主信号線２１は、第１部分２１０１と第２部分２１０２とを反復ユニットとして第２方向Ｙに沿って延在することができる。
【００７８】
例えば、図４に示すように、第１サブピクセルＲ１は、対称軸１１に関して対称であってもよく、対称軸１１は、第２方向Ｙに平行であり、これによって、第２方向Ｙにおける第１部分２１０１の延在線は、対称軸１１に重なることができる。例えば、第１サブピクセルＲ１の形状が六角形であり、対称軸１１が六角形の２つの頂点を通る場合、第２部分２１０２の形状は、二等辺台形の２つの側辺と上底辺からなる形状とすることができる。第１サブピクセルＲ１の形状が長楕円形であり、対称軸１１が長楕円形の２つの焦点を通る場合、第２部分２１０２の形状は、半楕円形とすることができる。
【００７９】
例えば、第２主信号線２１１の第１行に位置する部分は、第１主信号線２１０の第２行に位置する部分と同じであり、第２主信号線２１１の第２行に位置する部分は、第１主信号線２１０の第１行に位置する部分と同じである。
【００８０】
例えば、第１行は奇数番号の行であってもよく、相応的に、第２行は偶数番号の行である。しかしながら、これに限らなく、第１行は偶数番号の行であってもよく、相応的に、第２行は奇数番号の行である。
【００８１】
例えば、補助信号線２２は、主信号線２１から分岐して得られることができる。図１に示すように、補助信号線２２は、隣接する２つの主信号線２１のうちの１つ（例えば、図１に示した第１主信号線２１０）から分岐して形成されてもよく、この後、補助信号線２２は、主信号線２１の延在方向とは異なる方向に沿って延在し、２つの第３サブピクセルＧ１、Ｇ２の間の間隔を通過し、最終的には、補助信号線２２は、隣接する２つの主信号線２１のうちのもう１つ（例えば図１に示した第２主信号線２１１）までに延在している。
【００８２】
例えば、図４に示すように、第２行において、補助信号線２２は、第１主信号線２１０の第１部分２１０１と第２部分２１０２の交点から分岐し、第１サブピクセルＲ１の２つの第３サブピクセルＧ１、Ｇ２に近いの側辺の輪郭に沿って配線されてもよい。つまり、補助信号線２２の配線方向と第１主信号線２１０の第２部分２１０２の配線方向とは異なる。そして、補助信号線２２が２つの第３サブピクセルＧ１、Ｇ２の間の間隔に延在したとき、補助信号線２２は、２つの第３サブピクセルＧ１、Ｇ２の間の間隔までに延在している。最後に、補助信号線２２は、第１主信号線２１０に隣接する第２主信号線２１１に延在している。
【００８３】
例えば、図４に示すように、各補助信号線２２は、第１線分２２１、第２線分２２２、および第３線分２２３を含むことができ、各補助信号線２２における第３線分２２３は、第１方向Ｘに沿って延在し、各補助信号線２２における第２線分２２２は、第２方向Ｙに沿って延在し、第１線分２２１の延在方向と第１方向Ｘ、第２方向Ｙとは、異なり、例えば、複数の補助信号線２２の第１線分２２１の延在方向は同じであり、即ち複数の補助信号線２２の第１線分２２１は平行であり、複数の補助信号線２２の第２線分２２２の延在方向は同じであり、即ち複数の補助信号線２２の第２線分２２２は平行であり、複数の補助信号線２２の第３線分２２３の延在方向は同じであり、即ち複数の補助信号線２２の第３線分２２３も平行である。
【００８４】
例えば、複数の反復ユニットが第１対角線の方向（即ち第１方向Ｘ）に沿って反復に配列されることにより、複数の反復ユニット行を形成し、複数の反復ユニット行が第２対角線の方向（即ち第２方向Ｙ）に沿って配列される場合、図２Ｂに示した例では、第１線分２２１は、第１サブピクセルＲ１と、隣接する反復ユニット行において第１サブピクセルＲ１に直接隣接する第２サブピクセルＢ１との間に位置し、第３線分２２３は、同じ反復ユニットにおける２つの第３サブピクセルＧ１、Ｇ２の間に位置し、第２線分２２２は、第１線分２２１と第３線分２２３とを接続するように構成される。例えば、第２線分２２２は、同じ反復ユニットにおける第１サブピクセルＲ１と第３サブピクセルＧ１との間に位置する。
【００８５】
例えば、奇数番号の反復ユニット行に位置する補助信号線２２の第３線分２２２の第２方向Ｙへの投影と偶数番号の反復ユニット行に位置する補助信号線２２の第３線分２２２の第２方向Ｙへの投影とは重ならない。同じ奇数番号の反復ユニット行に位置するすべての補助信号線２２の第３線分２２２は同じ直線上に位置し、同じ偶数番号の反復ユニット行に位置するすべての補助信号線２２の第３線分２２２は同じ直線上に位置している。
【００８６】
また例えば、複数の反復ユニットが第１対角線の方向（即ち第１方向Ｘ）に沿って反復に配列されることにより、複数の反復ユニット列を形成し、複数の反復ユニット列が第２対角線の方向（即ち第２方向Ｙ）に沿って配列される場合、図２Ｃに示した例では、第１線分２２１は、第１サブピクセルＲ１と、隣接する反復ユニット列において第１サブピクセルＲ１に直接隣接する第２サブピクセルＢ１との間に位置し、第３線分２２３は、同じ反復ユニットにおける２つの第３サブピクセルＧ１、Ｇ２の間に位置し、第２線分２２２は、第１線分２２１と第２線分２２３とを接続するように構成される。例えば、第２線分２２２は、同じ反復ユニットにおける第１サブピクセルＲ１と第３サブピクセルＧ１との間に位置する。
【００８７】
例えば、奇数番号の反復ユニット列に位置する補助信号線２２の第３線分の第２方向Ｙへの投影と偶数番号の反復ユニット列に位置する補助信号線２２の第３線分の第２方向Ｙへの投影とは重ならない。同じ奇数番号の反復ユニット列に位置するすべての補助信号線２２の第３線分２２２は同じ直線上に位置し、同じ偶数番号の反復ユニット列に位置するすべての補助信号線２２の第３線分２２２は同じ直線上に位置している。
【００８８】
例えば、奇数番号の主信号線（例えば、第１主信号線２１０および第３主信号線２１２）から分岐して得られた補助信号線は、偶数番号の反復ユニット行に位置し、偶数番号の主信号線（例えば、第２主信号線２１１および第４主信号線２１３）から分岐して得られた補助信号線は、奇数番号の反復ユニット行に位置する。図２Ａに示すように、第１主信号線２１０と第２主信号線２１１との間に位置する補助信号線２２（これらの補助信号線２２は第１主信号線２１０から分岐して得られ）は、偶数番号の反復ユニット行に位置し、第３主信号線２１２と第４主信号線２１３との間に位置する補助信号線２２（これらの補助信号線２２は第３主信号線２１２から分岐して得られ）は、偶数番号の反復ユニット行に位置し、第２主信号線２１１と第３主信号線２１２との間に位置する補助信号線２２（これらの補助信号線２２は第２主信号線２１１から分岐して得られ）は、奇数番号の反復ユニット行に位置する。つまり、第１主信号線２１０と第２主信号線２１１との間に位置する補助信号線２２の第３線分２２３は、偶数番号の反復ユニット行における対応する２つの第３サブピクセルの間を通過し、第２主信号線２１１と第３主信号線２１２との間に位置する補助信号線２２の第３線分２２３は、奇数番号の反復ユニット行における対応する２つの第３サブピクセルの間を通過する。
【００８９】
例えば、第１サブピクセルＲ１、第２サブピクセルＢ１および第３サブピクセルＧ１、Ｇ２は、いずれもアノードを含む。例えば、第１サブピクセルＲ１は、第１発光素子を含み、第１発光素子は、第１アノード、第１カソード、及び第１発光層を含み、第１発光層は、第１アノードと第１カソードとの間に配置されている。第２サブピクセルＢ１は、第２発光素子を含み、第２発光素子は、第２アノード、第２カソード、及び第２発光層を含み、第２発光層は、第２アノードと第２カソードとの間に配置されている。２つの第３サブピクセルＧ１、Ｇ２は、いずれも第３発光素子を含み、第３発光素子は、第３アノード、第３カソード、及び第３発光層を含み、第３発光層は、第３アノードと第３カソードとの間に配置されている。
【００９０】
例えば、主信号線２１および補助信号線２２は、発光素子のアノードと同じ層に配置されてもよい。図５に示すように、第１発光素子は、第１アノード４０１を含み、第２発光素子は、第２アノード４０２を含み、第３発光素子は、第３アノード４０３を含む。主信号線２１、補助信号線２２、第１アノード４０１、第２アノード４０２および第３アノード４０３は、同じ層に配置される。ここで、異なる部品が「同じ層」に配置されるということは、同じ層構造の表面に位置すること、または同じ材料層をパターニングして形成されることを意味する。例えば、複数の主信号線と補助信号線のうちの少なくとも一部とアノードとは、同じ材料で作製され、複数の主信号線と補助信号線およびアノードとは、異なる材料で作製されている。
【００９１】
例えば、主信号線２１と補助信号線２２の線幅は、３ミクロン（μm）であってもよい。第１サブピクセルＲ１に隣接する第１主信号線２１０の境界と第１アノード４０１の境界との間の最小長さは、３μmであってもよい。補助信号線２２の境界と、隣接する第１アノード４０１および第２アノード４０２の境界との間の最小長さは、いずれも３μmであってもよい。第２主信号線２１１の境界と、隣接する第２アノード４０２および第３アノード４０３の境界との間の最小長さも、いずれも３μmであってもよい。
【００９２】
例えば、主信号線２１と補助信号線２２および発光素子のアノード（例えば第１アノード４０１、第２アノード４０２、第３アノード４０３）とは、同じ導電材料で形成される。導電材料は、酸化インジウムスズ（ＩＴＯ）、銀（Ａｇ）などであってもよい．
【００９３】
例えば、図１に示すように、各サブピクセルには、１つの突出部分が含まれる。例えば、六角形の第１サブピクセルＲ１と第２サブピクセルＢ１から突出した突出部分、および五角形の第３サブピクセルから突出した突出部分が挙げられる。各サブピクセル（例えば第１サブピクセルＲ１、第２サブピクセルＢ１および第３サブピクセルＧ１の突出部分は、発光素子のアノードとアノードの信号線とを接続するために使用され、各サブピクセルの突出部分の材料は陽極と同じ、すなわち酸化インジウムスズ（ＩＴＯ）、銀（Ａｇ）などである。例えば、アノードは、当該突出部分において誘電体層を貫通するビアを介してアノード信号線に接続されてもよいが、本開示による実施例はこれに限定されない。各サブピクセルの突出部分は、主信号線２１、輔信号線２２と同じ層に配置され、互いに重ならなく、つまり、上記の主信号線と補助信号線の配置過程において、上記の信号線とアノードとの短絡を避けるために、主信号線２１と補助信号線２２は、各サブピクセルの突出部分を迂回する必要がある。
【００９４】
なお、図１に示すように、第１サブピクセルＲ１は第１アノードを含み、第１アノードの形状は六角形であり、当該六角形は対称軸１１に関して対称であり、第１サブピクセルＲ１の突出部分は、第１サブピクセルＲ１のうち第１アノード以外の部分、すなわち図１において第１サブピクセルＲ１における六角形の１つの側辺から外側に突き出た部分を表している。第２サブピクセルＢ１は第２アノードを含み、第２アノードの形状も六角形であり、第２サブピクセルＢ１の突出部分は、第２サブピクセルＢ１のうち第２アノード以外の部分を表している。第３サブピクセルＧ１は第３アノードを含み、第３アノードの形状は、底角が直角である対称五角形であってもよく、第３サブピクセルＧ１の突出部分は、第３サブピクセルＧ１のうち対称五角形領域以外の部分を表している。
【００９５】
なお、サブピクセルの全体形状を説明する際には、当該突出部分を含んでいないので、図１を除いて、本開示の他の図面には、各サブピクセルの突出部分を図示していない。
【００９６】
例えば、表示基板１０が液晶表示基板である場合、主信号線２１および補助信号線２２は、共通電圧の信号線であってもよいため、主信号線２１および補助信号線２２は、複数の反復ユニット１００に共通電圧を供給するように構成されている。表示基板１０が有機発光ダイオード表示基板である場合、主信号線２１および補助信号線２２は、基準電圧の信号線であってもよいため、主信号線２１および補助信号線２２は、複数の反復ユニット１００に基準電圧を供給するように構成されている。
【００９７】
図６Ａは、ピクセル回路の概略構成図である。例えば、図６Ａに示すように、有機発光ダイオード表示基板に対しては、ピクセル回路は８Ｔ１Ｃモードで実現されることができる。ピクセル回路は、駆動トランジスタＴ３、データ入力トランジスタＴ４、蓄積コンデンサＣ、リセットトランジスタＴ１、第１閾値補償トランジスタＴ２、第２閾値補償トランジスタＴ８、第１電圧降下補償トランジスタＴ５、第２電圧降下補償トランジスタＴ７、および発光制御トランジスタＴ６を含む。駆動トランジスタＴ３は、発光素子ＥＬを駆動して発光させるように構成され、データ入力トランジスタＴ４は、走査信号Ｇａの制御の下で駆動トランジスタＴ３のゲートにデータ電圧Ｖｄａｔａを書き込むように構成され、蓄積コンデンサＣは、データ電圧Ｖｄａｔａを記憶して駆動トランジスタＴ３のゲートに保持するように構成されている。第１閾値補償トランジスタＴ２および第２閾値補償トランジスタＴ８は、駆動トランジスタＴ３のゲートに閾値補償信号を書き込むことにより、駆動トランジスタＴ３の閾値電圧ドリフトを補償するように構成されている。第１電圧降下補償トランジスタＴ５および第２電圧降下補償トランジスタＴ７は、駆動トランジスタＴ３のゲートに基準電圧信号Ｖｒｅｆを書き込むように構成されている。リセットトランジスタＴ１は、リセット信号Ｒｅの制御の下で駆動トランジスタＴ３のゲートにリセット電圧Ｖｉｎｔを書き込むように構成されている。発光制御トランジスタＴ６は、発光信号ＥＭの制御の下で発光素子ＥＬおよび駆動トランジスタＴ３をオンまたはオフに制御するように構成されている。
【００９８】
例えば、当該８Ｔ１Ｃピクセル回路では、駆動トランジスタＴ３の飽和電流式に基づいて、駆動トランジスタＴ３を流れる発光電流ＩＯＬＥＤを、
【００９９】
ＩＯＬＥＤ＝０.５μｎＣｏｘ（Ｗ／Ｌ）（ＶｄａｔａーＶｒｅｆ）２として表すことができる。
【０１００】
ここで、Ｖｄａｔａはデータ電圧、Ｖｒｅｆは基準電圧、μｎは駆動トランジスタＴ３の電子移動度、Ｃｏｘは駆動トランジスタＴ３のゲート単位電力容量、Ｗは駆動トランジスタＴ３のチャネル幅、Ｌは駆動トランジスタＴ３のチャネル長である。上記の式から、発光電流ＩＯＬＥＤが基準電圧Ｖｒｅｆとデータ電圧Ｖｄａｔａに関係していることがわかる。発光電流ＩＯＬＥＤは、基準電圧Ｖｒｅｆの安定性に関係しており、基準電圧Ｖｒｅｆの変動により発光電流ＩＯＬＥＤが変化することにより、表示パネルの表示輝度が変化する。本開示では、主信号線２１および補助信号線２２は、ピクセル回路に基準電圧Ｖｒｅｆを供給するために使用される。主信号線２１および補助信号線２２のグリッド配線を実現できるため、信号線の抵抗が小さく、抵抗相互接続性が良く、基準電圧信号Ｖｒｅｆの圧力降下が低いほど、制御能力が良くなり、さらに基準電圧信号Ｖｒｅｆの安定性を向上させ、表示パネルの表示効果を向上させることができる。
【０１０１】
上記の駆動回路構成は単なる例示であり、本開示の実施例による表示装置はこれに限定されず、任意の適切な駆動回路構成を採用することができる。
【０１０２】
例えば、複数の主信号線２１は、複数の反復ユニットに基準電圧または共通電圧を供給するように構成されている。例えば、第１サブピクセル、第２サブピクセルおよび第３サブピクセルはいずれもアノードを含み、複数の主信号線および補助信号線は、アノードと同じ層に配置される。
【０１０３】
図６Ｂは、図１０のＭ−Ｍ '線に沿った断面図である。１つの緑のサブピクセル（第３サブピクセル）の周辺に位置する断面構造は、例えば図６Ｂに示すように構成されている。当該構造は、ベース基板００１と、ベース基板上に順次配置されたバッファ層００２、第１ゲート絶縁層００３、第２ゲート絶縁層００４、層間誘電体層００５、平坦化層００６、ピクセル限定層００７とを含む。図６Ｂから、薄膜トランジスタ構造が第３サブピクセルの下方に配置され、当該薄膜トランジスタ構造がゲート３０２、アクティブ層３０１およびドレイン電極３０３を含むことが分かる。当該薄膜トランジスタは、上記のピクセル駆動電極における１つの薄膜トランジスタであり、他の部品との接続関係は、具体的なピクセル回路の配置に応じて設定されることができ、ここで詳しく示していない。また、信号線３０４は、ドレイン電極３０３と同じ層の位置に含まれていてもよく、当該信号線３０４は、異なるピクセル回路の配置に応じて特定の機能の信号線として使用されてもよく、例えば、信号線は、データ線やゲート線などであってもよい。図６Ｂから分かるように、ピクセル限定層００７は、限定サブピクセルの開口を含むことができる。第３サブピクセルのアノード４０３及び第３サブピクセルの発光層５０３は、ピクセル限定層００７の開口内に位置する。
【０１０４】
例えば、図６Ｂに示すように、第３サブピクセルのアノード４０３と第３サブピクセルの発光層５０３が互いに接触することにより、互いに接触した部分で発光層を駆動して発光させることができるので、第３サブピクセルのアノード４０３と第３サブピクセルの発光層５０３が互いに接触した部分は、サブピクセルが発光可能な有効部分となる。ここで、第３サブピクセルのアノード４０３がピクセル電極として用いられることにより、異なるサブピクセルに異なるデータ電圧を印加することができる。しかしながら、本開示の実施例によれば、サブピクセルのピクセル電極として用いられる電極は、アノードに限られず、発光ダイオードのカソードをピクセル電極として用いてもよい。したがって、本開示の実施例では、サブピクセルの形状とは、ピクセル電極と発光層が互いに接触した部分の形状であってもよい。例えば、各サブピクセルについて、ピクセル電極の面積が発光層の面積よりわずかに大きくてもよく、または発光層の面積がピクセル電極の面積よりわずかに大きくてもよく、本開示の実施例はこれを特に限定しない。例えば、ここでの発光層は、正孔注入層、正孔輸送層、電子注入層、および電子輸送層などのような、エレクトロルミネセント層自体、およびエレクトロルミネセント層の両側に位置する他の機能層を含むことができる。いくつかの実施例では、サブピクセルの形状は、ピクセル限定層によって定義されてもよい。例えば、発光ダイオードの下部電極(例えばアノード)は、ピクセル限定層の下方に設けられてもよく、ピクセル限定層は、ピクセルを限定するための開口を含み、当該開口は下部電極の一部を露出させ、発光層が上述したピクセル限定層における開口内に形成されると、発光層が下部電極と接触し、この部分で発光層を駆動して発光させることができる。したがって、このような場合、ピクセル限定層の開口は、サブピクセルの形状を定義する。
【０１０５】
例えば、本開示の実施例で説明された様々なサブピクセルの形状は、いずれも大まかな形状であり、発光層や様々な電極層を形成する場合、サブピクセルのエッジが厳格な直線であり、かつ角が厳格な角状であることは保証できない。例えば、上述した様々な図形形状に基づいて、各サブピクセルの角に対して面取りを行う。つまり、図面中の各サブピクセルの形状は、厳密に２つの線分で形成された角を含むが、いくつかの実施形態では、各サブピクセルの形状は、いずれも丸角図形であってもよい。例えば、発光層がマスクによって蒸着される場合、発光層の隅にある部分は自然に丸角形状になることができる。いくつかの場合、前述のように金属エッチングには抜き勾配があるので、蒸着プロセスを利用してサブピクセルの発光層を形成する場合、その発光層の１つの角が取り除かれる可能性がある。
【０１０６】
上述したように、主信号線２１および補助信号線２２からなる信号線を基準電圧線として使用されてもよく、図６Ａに示すように、各サブピクセルのピクセル駆動回路に接続される。例えば、各サブピクセルの周囲には、当該信号線がその下方の絶縁層を貫通するビアを介して、下のピクセル回路に接続され、例えば、図６Ｂに示すように、信号線は、主信号線２１の下方の各層の絶縁層(例えば、第１ゲート絶縁層００３、第２ゲート絶縁層００４、層間誘電体層００５、平坦化層００６及びピクセル限定層００７)におけるビアを介してピクセル回路に接続され、ビアの具体的な位置は設計上のニーズに応じて選択されることができ、図６Ｂに示す断面では、当該ビアの構造は示されていない。また、上記の信号線によって形成された格子状の構造について、表示基板の周辺領域において全体的に基準電圧源に接続されてもよい。例えば、表示基板の周辺には環状の基準電圧信号線が含まれ、当該格子状の信号線は、当該環状の信号線に接続されることにより、基準電圧を各サブピクセルのピクセル電極構造に入力する。
【０１０７】
例えば、ピクセル回路には、少なくとも１つのトランジスタ（図６Ａにおける第１電圧降下補償トランジスタＴ５および／または第２電圧降下補償トランジスタＴ７）が含まれ、各前記トランジスタは、ゲート、アクティブ層、ソースドレインを含む。一例では、信号線は、その下方の絶縁層を貫通するビアを介して、対応するトランジスタのソースまたはドレインに電気的に接続されている。一例では、トランジスタのアクティブ層は多結晶シリコン層で形成され、アクティブ層のチャネル領域の両側に、多結晶シリコン層が導体化されることにより、ソースドレインを形成する。例えば、前記信号線は、ビアを介して、導体化されることにより形成された多結晶シリコンソースまたはドレインに電気的に接続される。例えば、トランジスタはトップゲートトランジスタであり、前記信号線を対応するトランジスタのソースまたはドレインに電気的に接続するためのビアは、ゲート金属層およびデータ金属層を通過し、前記ゲート金属層およびデータ金属層の金属パターンの一部は、ビアとの電気的接続のためのリレー接続部品として使用されてもよいが、本開示の実施例によれば、これに限定されない。
【０１０８】
例えば、図３に示すように、第２対角線３０２の方向における第１サブピクセルＲ１の長さは、第１対角線３０１の方向における第１サブピクセルＲ１の長さより大きく、第２対角線３０２の方向における第２サブピクセルＢ１の長さは、第１対角線３０１の方向における第２サブピクセルＢ１の長さより大きい。つまり、例えば、第１サブピクセルＲ１の形状が矩形である場合、第１サブピクセルＲ１の第１対角線３０１に沿った辺長は、第２対角線３０２に沿った辺長より小さい。第１サブピクセルＲ１の形状が長楕円形である場合、当該長楕円形の２つの焦点を結ぶ線は、第２対角線３０２に略平行である。
【０１０９】
例えば、第１サブピクセルＲ１と第２サブピクセルＢ１の形状および面積は同じでもよい。
【０１１０】
例えば、図３に示すように、第１サブピクセルＲ１は、第１対角線３０１が位置する直線に関して対称であってもよい。第２サブピクセルＢ１も、第１対角線３０１が位置する直線に関して対称であってもよい。
【０１１１】
例えば、第１サブピクセルＲ１と第２サブピクセルＢ１の形状は、矩形、六角形、または長楕円形などを含んでもよい。六角形は、正六角形などであってもよい。
【０１１２】
例えば、２つの第３サブピクセルＧ１、Ｇ２の形状および面積は同じである。
【０１１３】
例えば、第１サブピクセルＲ１と第２サブピクセルＢ１の面積は、２つの第３サブピクセルＧ１、Ｇ２のそれぞれより大きい。
【０１１４】
例えば、２つの第３サブピクセルＧ１、Ｇ２の形状は、いずれも矩形(例えば正方形)、五角形、または菱形などを含む。五角形は、底角が直角である五角形、直角台形などを含む。
【０１１５】
例えば、図３に示すように、２つの第３サブピクセルＧ１、Ｇ２の形状は、第１対角線３０１に関して対称であってもよい。
【０１１６】
なお、各サブピクセルの面積は、発光材料の発光効率に応じて具体的に設定されることができ、例えば、発光材料の発光効率が高い場合、サブピクセルの面積を小さくすることができ、発光材料の発光効率が低い場合、サブピクセルの面積を大きくすることができる。
【０１１７】
例えば、２つの第３サブピクセルＧ１、Ｇ２が１つの孔から形成されることにより、高精度の金属マスク(Ｆｉｎｅ Ｍｅｔａｌ Ｍａｓｋ、ＦＭＭ)のプロセス難易度を効果的に低減することができる。２つの第３サブピクセルＧ１、Ｇ２が１つの孔から形成されることは、隣接する２つの第３サブピクセルＧ１、Ｇ２の発光層を蒸着するときに、１つのＦＭＭの孔領域を共有できることを示す。当該孔領域では、発光材料のピクセル電極に蒸着された部分のみに第３サブピクセルＧ１、Ｇ２を形成することにより、発光することができ、絶縁ペーストに蒸着された残りの発光材料が発光できない。
【０１１８】
例えば、いくつかの例では、第３サブピクセルＧ１、Ｇ２は敏感な色のサブピクセルである。人間の目の色に対する感度が異なるため、隣接する敏感な色のサブピクセルの距離が近い場合、隣接する敏感な色のサブピクセルの距離が近いため隣接する２つの敏感な色のサブピクセルが見分けにくくなり、視覚的に１つになることが起こりやすい。これにより、当該ピクセル配列構造は、敏感な色のサブピクセルの分布均一性を改善し、視覚的解像度を向上させることができる。なお、ピクセル配列構造が赤緑青（ＲＧＢ）モードである場合、上記の敏感な色は緑である。
【０１１９】
例えば、いくつかの例では、第３サブピクセルＧ１、Ｇ２は緑のサブピクセルである。第１サブピクセルＲ１は赤のサブピクセルであり、第２サブピクセルＢ１は青のサブピクセルである。ただし、これに限らず、第１サブピクセルＲ１は青のサブピクセルであってもよく、相応的に、第２サブピクセルＢ１は赤のサブピクセルである。
【０１２０】
例えば、図１に示すように、各反復ユニット１００では、第２対角線の方向（即ち第２方向Ｙ）における２つの第３サブピクセルＧ１、Ｇ２の境界の最小距離ｈ１の範囲は、８〜１４ミクロン（μｍ）であることにより、隣接する２つの第３サブピクセルＧ１、Ｇ２の距離が近いため隣接する２つの第３サブピクセルＧ１、Ｇ２が見分けにくくなり、視覚的に１つになることを避け、この結果、このために生じた粒子感を避けることができる。これにより、当該ピクセル配列構造は、第３サブピクセルの分布均一性を改善し、視覚的解像度を向上させることができる。例えば、いくつかの例では、最小距離ｈ１は、１０ミクロンであってもよい。
【０１２１】
図７Ａは、図１に示す表示基板の反復ユニットにおける仮想ピクセルのグループ分け図であり、図７Ｂは、図１に示す表示基板の反復ユニットにおける仮想ピクセルの別のグループ分け図である。
【０１２２】
例えば、当該表示基板が表示パネルに用いられる場合、サブピクセルレンダリング（Ｓｕｂ-Ｐｉｘｅｌ Ｒｅｎｄｅｒｉｎｇ、ＳＰＲ）アルゴリズムを用いて駆動することにより、仮想表示を実現することができる。例えば、いくつかの例では、各反復ユニット１００では、第１サブピクセルＲ１と２つの第３サブピクセルＧ１、Ｇ２のうちの１つは、第１仮想ピクセルを形成し、第２サブピクセルＢ１と２つの第３サブピクセルＧ１、Ｇ２のうちのもう１つは、第２仮想ピクセルを形成する。図７Ａに示すように、第１サブピクセルＲ１と第３サブピクセルＧ１は、第１仮想ピクセル１１０を形成し、第２サブピクセルＢ１と第３サブピクセルＧ２は、第２仮想ピクセル１２０を形成する。第１サブピクセルＲ１と第２サブピクセルＢ１は、いずれも第１仮想ピクセルと第２仮想ピクセルに共有される。
【０１２３】
例えば、図３に示すように、各反復ユニット１００では、第１サブピクセルＲ１および／または第２サブピクセルＢ１は、第１対角線３０１が位置する直線によって２つのサブピクセルブロックに分割されてもよい。図７Ｂに示すように、第１サブピクセルＲ１が第１サブピクセルブロックＲ１１と第２サブピクセルブロックＲ１２に分割され、第２サブピクセルＢ１が第３サブピクセルブロックＢ１１と第４サブピクセルブロックＢ１２に分割されることにより、当該反復ユニット１００がリアル（ｒｅａｌ）ピクセル表示を実現することができる。図７Ｂに示すように、第１サブピクセルブロックＲ１１、第３サブピクセルＧ１および第３サブピクセルブロックＢ１１が第１リアルピクセル１１０'を形成し、第２サブピクセルブロックＲ１２、第３サブピクセルＧ２および第４サブピクセルブロックＢ１２が第２リアルピクセル１２０'を形成することにより、１つの反復ユニット１００が２つのリアルピクセルを含む。
【０１２４】
例えば、第１サブピクセルブロックＲ１１と第２サブピクセルブロックＲ１２は、２つの第３サブピクセルＧ１、Ｇ２の中心を結ぶ線（即ち図３における第２対角線３０２）の垂直二等分線に関して対称であり、第３サブピクセルブロックＢ１１と第４サブピクセルブロックＢ１２も、２つの第３サブピクセルＧ１、Ｇ２の中心を結ぶ線の垂直二等分線に関して対称である。
【０１２５】
例えば、第１サブピクセルブロックＲ１１と第２サブピクセルブロックＲ１２が１つの孔から形成され、第３サブピクセルブロックＢ１１と第４サブピクセルブロックＢ１２も１つの孔から形成されることにより、ＦＭＭのプロセス難易度を効果的に低減することができる。
【０１２６】
図８は、本開示の別の実施例による表示基板の概略図であり、図９は、図８に示す表示基板におけるピクセルグループの概略図であり、図１０は、図８に示す表示基板における１列のピクセルグループの概略図である。
【０１２７】
例えば、図８に示すように、表示基板１０は、複数のピクセルグループ２００、複数の主信号線２１、および補助信号線２２を含む。各ピクセルグループ２００は、２つの第１サブピクセルＲ２、Ｒ２'、２つの第２サブピクセルＢ２、Ｂ２'、および２つの第３サブピクセルＧ１'、Ｇ２'を含む。
【０１２８】
例えば、２つの第１サブピクセルＲ２、Ｒ２'と２つの第２サブピクセルＢ２、Ｂ２'の形状は、いずれも矩形、六角形、長楕円形などである。２つの第３サブピクセルＧ１'、Ｇ２'の形状は、いずれも五角形、矩形などである。
【０１２９】
例えば、図９に示すように、各ピクセルグループ２００では、２つの第１サブピクセルＲ２、Ｒ２'の中心と２つの第２サブピクセルＢ２、Ｂ２'の中心とを結ぶ線は、１つの矩形２５を形成し、矩形２５は、第１対称軸２５１と第１対称軸２５１に互いに垂直な第２対称軸２５２とを含み、２つの第３サブピクセルＧ１'、Ｇ２'は、第２対称軸２５２の方向に沿って配列され、且つそれぞれ第１対称軸２５１の両側に位置する。
【０１３０】
なお、上述した矩形２５は、第１サブピクセル、第２サブピクセル、および第３サブピクセルの位置をより良く説明するためのものであり、実際の構造ではない。
【０１３１】
例えば、図９に示すように、第１サブピクセルＲ２と第１サブピクセルＲ２'は、第１対称軸２５１が位置する直線に関して対称的に配置され、第２サブピクセルＢ２と第２サブピクセルＢ２'も、第１対称軸２５１が位置する直線に関して対称的に配置される。つまり、第１サブピクセルＲ２と第１サブピクセルＲ２'は、第２対称軸２５２が位置する直線の第１側（図９では右側）に位置し、第２サブピクセルＢ２と第２サブピクセルＢ２'は、第２対称軸２５２が位置する直線の第２側（図９では左側）に位置している。
【０１３２】
例えば、第１サブピクセルＲ２と第１サブピクセルＲ２'の形状は、第１対称軸２５１が位置する直線に関して対称であり、第２サブピクセルＢ２と第２サブピクセルＢ２の形状も、第１対称軸２５１が位置する直線に関して対称である。
【０１３３】
例えば、第１サブピクセルＲ２、第１サブピクセルＲ２'、第２サブピクセルＢ２と第２サブピクセルＢ２'の形状は、いずれも同じであってもよい（例えば、六角形など）。
【０１３４】
例えば、図９に示すように、２つの第３サブピクセルＧ１'、Ｇ２'は、第１対称軸２５１に関して対称的に配置される。例えば、２つの第３サブピクセルＧ１'、Ｇ２'の中心は、第２対称軸２５２上に位置し、つまり、２つの第３サブピクセルＧ１'、Ｇ２'の間の間隔の中心は、矩形２５の中心に重なっている。
【０１３５】
例えば、２つの第３サブピクセルＧ１'、Ｇ２'の形状は、いずれも底角が直角である対称五角形であってもよく、底角が直角である対称五角形の底辺は、第１対称軸２５１に平行であり、且つ第２対称軸２５２の方向において底角が直角である対称五角形の頂点に対して第１対称軸２５１に近い。第３サブピクセルＧ１'の中心と第１対称軸２５１との垂直距離は、第３サブピクセルＧ１'の中心と、第１サブピクセルＲ２の中心と第２サブピクセルＢ２の中心とを結ぶ線との垂直距離より小さい。
【０１３６】
例えば、第３サブピクセルＧ１'の形状は、第２対称軸２５２に関して対称であり、第３サブピクセルＧ２'の形状も、第２対称軸２５２に関して対称である。
【０１３７】
例えば、複数のピクセルグループ２００は、第２対称軸２５２の方向に沿ってピクセルグループ列を形成し、即ちピクセルグループの列方向は、第２対称軸２５２に平行である。第２対称軸２５２の方向において、隣接する２つのピクセルグループは、１つの第１サブピクセルと１つの第２サブピクセルを共有する。図１０に示すように、第２対称軸２５２の方向において、ピクセルグループ２００、ピクセルグループ２００'、およびピクセルグループ２００''は、同じ列に位置し、且つピクセルグループ２００はピクセルグループ２００'に隣接し、ピクセルグループ２００'はピクセルグループ２００''に隣接し、ピクセルグループ２００とピクセルグループ２００'は、第１サブピクセルＲ２'および第２サブピクセルＢ２'を共有し、すなわちピクセルグループ２００とピクセルグループ２００'との重なり部分に位置する第１サブピクセルＲ２'および第２サブピクセルＢ２'を共有する。ピクセルグループ２００'とピクセルグループ２００''は、第１サブピクセルＲ２および第２サブピクセルＢ２を共有し、すなわちピクセルグループ２００とピクセルグループ２００'との重なり部分に位置する第１サブピクセルＲ２および第２サブピクセルＢ２を共有する。
【０１３８】
例えば、図８に示すように、ピクセルグループ２００における２つの第３サブピクセルＧ１'、Ｇ２'は、隣接する２つの主信号線２１の間に位置し、隣接する２つの主信号線２１の間には、少なくとも１つの補助信号線２２が設けられ、補助信号線２２は、隣接する２つの主信号線２１に接続され、２つの第３サブピクセルＧ１'、Ｇ２'の間の間隔を通過する。
【０１３９】
例えば、複数の主信号線２１と補助信号線２２は、複数のピクセルグループ２００に基準電圧または共通電圧を供給するように構成されている。
【０１４０】
例えば、図８および図９に示すように、複数のピクセルグループ２００は、第１対称軸２５１の方向に沿ってピクセルグループ行を形成し、即ちピクセルグループの行方向は、第１対称軸２５１に平行である。図８に示すように、ピクセルグループ２００の１行は、第１サブ行、第２サブ行、および第３サブ行を含むことができる。ピクセルグループ２００において、第１サブピクセルＲ２および第２サブピクセルＢ２は第１サブ行に位置し、２つの第３サブピクセルＧ１'、Ｇ２'は第２サブ行に位置し、第１サブピクセルＲ２'および第２サブピクセルＢ２'は、第３サブ行に位置する。各ピクセルグループ２００では、第２主信号線２１１は、第１サブ行に位置する第１サブピクセルＲ２と第２サブピクセルＢ２との間の間隔、第１サブ行に位置する第１サブピクセルＲ２と第２サブ行に位置する第３サブピクセルＧ１'との間の間隔、第１対称軸２５１の方向における第２サブ行に位置する２つの第３サブピクセルＧ１'、Ｇ２'の第１側（図８および図９に示した右側）、第２サブ行に位置する第３サブピクセルＧ２'と第３サブ行に位置する第１サブピクセルＲ２'との間の間隔、および第３サブ行に位置する第１サブピクセルＲ２'と第２サブピクセルＢ２'との間の間隔に沿って順次に配線されてもよい。または、第２主信号線２１１は、第１サブ行に位置する第１サブピクセルＲ２と第２サブピクセルＢ２との間の間隔、第１サブ行に位置する第２サブピクセルＢ２と第２サブ行に位置する第３サブピクセルＧ１'との間の間隔、第１対称軸２５１の方向における第２サブ行に位置する２つの第３サブピクセルＧ１'、Ｇ２'の第２側（図８および図９に示した左側）、第２サブ行に位置する第３サブピクセルＧ２'と第３サブ行に位置する第２サブピクセルＢ２'との間の間隔、および第３サブ行に位置する第１サブピクセルＲ２'と第２サブピクセルＢ２'との間の間隔に沿って順次に配線されてもよい。
【０１４１】
図１１は、図８に示す表示基板における２列のピクセルグループの概略図である。
【０１４２】
例えば、第２対称軸２５２の方向における隣接するピクセルグループ列の隣接する２つのピクセルグループの中心の距離は、第２対称軸２５２の方向における矩形２５の長さの半分である。図１１に示すように、ピクセルグループ２００とピクセルグループ２００'''は、隣接するピクセルグループ列に位置し、ピクセルグループ２００の中心とピクセルグループ２００'''の中心との間の距離Ｑ１は、第２対称軸２５２の方向における矩形２５の長さの半分である。つまり、ピクセルグループ２００の中心は、ピクセルグループ２００'''の第１サブピクセルＲ２の中心と第２サブピクセルＢ２の中心とを結ぶ線の延長線上に位置し、ピクセルグループ２００'''の中心は、ピクセルグループ２００の第１サブピクセルＲ２'の中心と第２サブピクセルＢ２'の中心とを結ぶ線の延長線上に位置する。
【０１４３】
図１２は、本開示のまた別の実施例による表示基板の概略図であり、図１３は、図１２に示す表示基板におけるピクセルグループの概略図であり、図１４は、図１２に示す表示基板における１列のピクセルグループの概略図である。
【０１４４】
例えば、図１２に示すように、表示基板１０は、複数のピクセルグループ３００、複数の主信号線２１、および補助信号線２２を含む。各ピクセルグループ３００は、第１サブユニット３０１と第２サブユニット３０２とを含み、第１サブユニット３０１は、第１サブピクセルＲ３、第２サブピクセルＢ３、および第３サブピクセルＧ１''を含み、第２サブユニット３０２は、第１サブピクセルＲ３、第２サブピクセルＢ３、および第３サブピクセルＧ２''を含む。
【０１４５】
例えば、図１３に示すように、第１サブユニット３０１は、仮想矩形を含み、仮想矩形は、互いに平行な第１辺３０１１と第２辺３０１２とを含み、第１サブピクセルＲ３の中心と第２サブピクセルＢ３の中心とを結ぶ線は、第１サブユニット３０１の仮想矩形の第１辺３０１１であり、第１サブピクセルＲ３と第２サブピクセルＢ３は、第１辺３０１２の垂直二等分線３０１３に関して対称分布し、第１サブユニット３０１と第２サブユニット３０２は、第２辺３０１２に関して鏡像対称となる。
【０１４６】
なお、上述した仮想矩形は、第１サブピクセル、第２サブピクセル、および第３サブピクセルの位置をより良く説明するためのものであり、実際の構造ではない。
【０１４７】
例えば、第３サブピクセルＧ１''の中心と第３サブピクセルＧ２''の中心は、第１辺３０１１の垂直二等分線上に位置する。
【０１４８】
例えば、第３サブピクセルＧ１''の中心と第１辺３０１１との垂直距離は、第３サブピクセルＧ１''の中心と第２辺３０１２との垂直距離より大きい。
【０１４９】
例えば、複数のピクセルグループ３００は、第１辺３０１１の垂直二等分線３０１３の方向に沿ってピクセルグループ列を形成し、即ちピクセルグループの列方向は、第１辺３０１１の垂直二等分線３０１３に平行である。第１辺３０１１の垂直二等分線３０１３の方向において、隣接する２つのピクセルグループは、第１サブピクセルＲ３と第２サブピクセルＢ３を共有する。例えば、図１４に示すように、第１辺３０１１の垂直二等分線３０１３の方向において、ピクセルグループ３００およびピクセルグループ３００'は、同じ列に位置し、且つピクセルグループ３００はピクセルグループ３００'に隣接する。ピクセルグループ３００は、第１サブユニット３０１と第２サブユニット３０２とを含み、ピクセルグループ３００'は、第１サブユニット３０１'と第２サブユニット３０２'とを含む。ピクセルグループ３００とピクセルグループ３００'は、第１サブピクセルＲ３および第２サブピクセルＢ３を共有し、すなわちピクセルグループ３００とピクセルグループ３００'との重なり部分に位置する第１サブピクセルＲ３および第２サブピクセルＢ３を共有する。つまり、共有された第１サブピクセルＲ３および第２サブピクセルＢ３は、それぞれピクセルグループ３００における第２サブユニット３０２のサブピクセルおよびピクセルグループ３００'における第１サブユニット３０１'のサブピクセルである。
【０１５０】
例えば、図１２に示すように、第１サブユニット３０１の第３サブピクセルＧ１''と第２サブユニット３０２の第３サブピクセルＧ２''は、隣接する２つの主信号線２１の間に位置し、隣接する２つの主信号線２１の間には、少なくとも１つの補助信号線２２が設けられ、補助信号線２２は、隣接する２つの主信号線２１に接続され、第１サブユニット３０１の第３サブピクセルＧ１''と第２サブユニット３０２の第３サブピクセルＧ２''との間の間隔を通過する。
【０１５１】
例えば、複数の主信号線２１と補助信号線２２は、複数のピクセルグループ２００に基準電圧または共通電圧を供給するように構成されている。
【０１５２】
例えば、図１２および図１３に示すように、各ピクセルグループ２００の第１サブユニット３０１では、第２主信号線２１１は、第１サブピクセルＲ３と第２サブピクセルＢ３との間の間隔、第１サブピクセルＲ３と第３サブピクセルＧ１''との間の間隔、および第１辺３０１１が位置する直線の方向における第３サブピクセルＧ１''の第１側（図１２に示した右側）に沿って順次に配線されてもよい。例えば、第１辺３０１１の垂直二等分線３０１３の方向における第２主信号線２１１の第３サブピクセルＧ１''の第１側に位置した部分の延在線は、第１サブピクセルＲ３の中心を通る。または、第２主信号線２１１は、第１サブピクセルＲ３と第２サブピクセルＢ３との間の間隔、第２サブピクセルＢ３と第３サブピクセルＧ１''との間の間隔、および第１辺３０１１が位置する直線の方向における第３サブピクセルＧ１''の第２側（図１２に示した左側）に沿って順次に配線されてもよい。例えば、第１辺３０１１の垂直二等分線３０１３の方向における第２主信号線２１１の第３サブピクセルＧ１''の第２側に位置した部分の延在線は、第２サブピクセルＢ３の中心を通る。
【０１５３】
例えば、第１サブユニット３０１における第２主信号線２１１の部分と第２サブユニット３０２における第２主信号線２１１の部分は、第１サブユニット３０１の仮想矩形の第２辺３０１２に関して鏡像対称となる。
【０１５４】
図１５は、図１２に示す表示基板における２列のピクセルグループの概略図である。
【０１５５】
例えば、第１辺の垂直二等分線３０１３の方向における隣接するピクセルグループ列の隣接する２つのピクセルグループの中心の距離は、第１辺の垂直二等分線３０１３の方向における第１サブユニットの仮想矩形の長さである。図１５に示すように、ピクセルグループ３００とピクセルグループ３００''は、隣接する２つのピクセルグループ列に位置し、ピクセルグループ３００の中心とピクセルグループ３００''の中心との間の距離Ｑ２は、第１辺の垂直二等分線３０１３の方向におけるピクセルグループ３００の第１サブユニットの仮想矩形の長さである。つまり、ピクセルグループ３００の中心がピクセルグループ３００''の第１サブユニットにおける第１サブピクセルＲ３の中心と第２サブピクセルＢ３の中心とを結ぶ線の延長線上に位置する場合、ピクセルグループ３００''の中心は、ピクセルグループ３００の第２サブユニットにおける第１サブピクセルＲ３の中心と第２サブピクセルＢ３の中心とを結ぶ線の延長線上に位置する。
【０１５６】
例えば、上記のいずれかに記載の表示基板１０は、液晶表示パネルに適用されてもよいし、有機発光ダイオード表示パネルに適用されてもよい。
【０１５７】
例えば、表示基板１０は、アレイ基板であってもよい。図１に示した表示基板１０を例にとると、反復ユニット１００では、第１サブピクセルＲ１は、第１色のピクセル電極および第１色のピクセル電極に設けられた第１色の発光層を含み、第２サブピクセルＢ１は、第２色のピクセル電極および第２色のピクセル電極に設けられた第２色の発光層を含み、第３サブピクセルＧ１／Ｇ２は、第３色のピクセル電極および第３色のピクセル電極に設けられた第３色の発光層を含む。
【０１５８】
例えば、第１色のピクセル電極の形状は、第１サブピクセルＲ１の形状と同じであり、第１色の発光層を駆動して発光させるように構成され、第２色のピクセル電極の形状は、第２サブピクセルＢ１の形状と同じであり、第２色の発光層を駆動して発光させるように構成され、第３色のピクセル電極の形状は、第３サブピクセルＧ１／Ｇ２の形状と同じであり、第３色の発光層を駆動して発光させるように構成されている。もちろん、本開示の実施例は、これに限定されず、各色のピクセル電極の形状は、各サブピクセルの形状と異なってもよく、各サブピクセルの形状は、ピクセル限定層によって限定されてもよい。
【０１５９】
なお、上記の各サブピクセルの形状は、各サブピクセルの発光領域の形状である。また、各色の発光層の具体的な形状は、作製プロセスに従って設定されることができ、本開示の実施例はここでは限定しない。例えば、各色の発光層の形状は、作製プロセスにおけるマスクの孔の形状によって決定されることができる。
【０１６０】
なお、いくつかの例では、第１色の発光層は赤色光を発光するように構成され、第２色の発光層は青色光を発光するように構成され、第３色の発光層は緑色光を発光するように構成されている。
【０１６１】
なお、表示基板１０が液晶表示パネルに適用される場合、表示基板１０は、カラーフィルム基板であってもよい。反復ユニット１００では、第１サブピクセルＲ１は、第１カラーフィルタを含み、第２サブピクセルＢ１は、第２カラーフィルタを含み、第３サブピクセルＧ１は、第３カラーフィルタを含む。なお、当該表示基板１０がカラーフィルム基板である場合には、液晶表示パネルだけでなく、カラーフィルムモードと組み合わせた白色光ＯＬＥＤを用いた表示パネルにも用いられることができる。
【０１６２】
例えば、第１カラーフィルタは赤色フィルターであってもよく、第２カラーフィルタは青色フィルターであってもよく、そして第３カラーフィルタは緑色フィルタであってもよい。
【０１６３】
図１６は、本開示の一実施例による表示装置の概略ブロック図である。
【０１６４】
例えば、図１６に示すように、本開示の実施例による表示装置５０は、表示パネル５１を含み、表示パネル５１は、上記のいずれかに記載の表示基板５２を含む。
【０１６５】
例えば、表示パネル５１は、液晶表示パネルや有機発光ダイオード（ＯＬＥＤ）表示パネルなどであってもよい。表示パネル５１が液晶表示パネルである場合、表示基板５２は、アレイ基板であってもよいし、カラーフィルム基板であってもよい。表示パネル５１が有機発光ダイオード表示パネルである場合、表示基板５２は、アレイ基板であってもよい。
【０１６６】
例えば、いくつかの例では、表示装置５０は、携帯電話、タブレットコンピュータ、テレビ、ディスプレイ、ノートパソコン、デジタルフォトフレーム、ナビゲーションなど、表示機能を備えたあらゆる製品または部品であってもよい。
【０１６７】
なお、当業者であれば、当該表示装置５０の他の構成要素（例えば、制御装置、画像データ暗号化／復号化装置、行走査ドライバ、列走査ドライバ、クロック回路など）が備えられることが理解すべきであり、ここでは説明を省略し、本発明を限定するものとするべきではない。
【０１６８】
本開示に関し、以下の点について説明する必要がある。
【０１６９】
（１）本開示の実施例の図面は、本開示の実施例に係る構成のみに関し、他の構成について、通常の設計を参照してもよい。
【０１７０】
（２）矛盾がない場合、本開示の実施例および実施例の特徴とを組み合わせて、新しい実施例を得ることができる。
【０１７１】
上記の説明は、本開示の具体的な実施例に過ぎないが、本開示の保護範囲はこれに限定されず、本開示の保護範囲は、前記請求項の保護範囲に準じるべきである。
【図１】
2021513093.tif 000003
【図２Ａ】
2021513093.tif 000004
【図２Ｂ】
2021513093.tif 000005
【図２Ｃ】
2021513093.tif 000006
【図３】
2021513093.tif 000007
【図４】
2021513093.tif 000008
【図５】
2021513093.tif 000009
【図６Ａ】
2021513093.tif 000010
【図６Ｂ】
2021513093.tif 000011
【図７Ａ】
2021513093.tif 000012
【図７Ｂ】
2021513093.tif 000013
【図８】
2021513093.tif 000014
【図９】
2021513093.tif 000015
【図１０】
2021513093.tif 000016
【図１１】
2021513093.tif 000017
【図１２】
2021513093.tif 000018
【図１３】
2021513093.tif 000019
【図１４】
2021513093.tif 000020
【図１５】
2021513093.tif 000021
【図１６】
2021513093.tif 000022
【国際調査報告】
2021513093.tif 000023
2021513093.tif 000024
2021513093.tif 000025
2021513093.tif 000026